(57)【特許請求の範囲】
【請求項１】
支持体に二成分自己組織化単分子膜（ＳＡＭ）連結により連結された１タイプ以上のアプタマーを含み、該二成分ＳＡＭ連結が該支持体上に官能化された表面を形成するための所望の連結間隔および／または連結長を有し、
該二成分ＳＡＭ連結が、以下：
アプタマーと共有結合を形成可能なカルボキシ、アミンまたはアミド部分を有する安定性向上チオール化合物；および
付着したアプタマーの安定性を維持しながらタンパク質の非特異的吸着を阻害することが可能なタンパク質吸着耐性化合物
を含んでなり；
該所望の連結間隔および／または連結長が表面プラズモン共鳴（ＳＰＲ）、ラマン分光法、または蛍光分光法の感度および選択性の少なくとも１つを分析物および／またはアプタマー特性に基づいて最適化するように選択される、センサー。
【請求項２】
以下の工程：センサーを血液試料と接触させ；該血液中の該分析物の糖化形態の量を決定し；そして、該血液試料分析物中に糖化形態で存在する該分析物の量を、所与の時間フレームに関して対照レベルに関連付ける；により、過去の平均血中分析物レベルをモニタリングするための、請求項１に記載のセンサーの使用。
【請求項３】
アプタマーが糖化ヘモグロビンに結合し、該アプタマーがＳＥＱ  ＩＤ  ＮＯ：４および５からなる群から選択される核酸配列を含む、請求項１に記載のセンサー。
【請求項４】
アプタマーが非糖化ヘモグロビンに結合し、該アプタマーがＳＥＱ  ＩＤ  ＮＯ：６および７からなる群から選択される核酸配列を含む、請求項１に記載のセンサー。
【請求項５】
アプタマーが糖化血清アルブミンに結合し、該アプタマーがＳＥＱ  ＩＤ  ＮＯ：３、８および９からなる群から選択される核酸配列を含む、請求項１に記載のセンサー。
【請求項６】
アプタマーが非糖化血清アルブミンに結合し、該アプタマーがＳＥＱ  ＩＤ  ＮＯ：１０、１１、１２、１３、１４および１５からなる群から選択される核酸配列を含む、請求項１に記載のセンサー。
【請求項７】
二成分ＳＡＭ連結の少なくとも１つの充填密度および／または長さが表面プラズモン共鳴（ＳＰＲ）シグナルに影響を及ぼす、請求項１に記載のセンサー。
【請求項８】
二成分ＳＡＭ連結が、安定性向上化合物としてジチオビス−Ｎ−スクシンイミジルプロピオネート（ＤＴＳＰ）、および非特異的タンパク質吸着耐性化合物として（１−メルカプト−１１−ウンデシル）トリ（エチレングリコール）（ＰＥＧ３）を用いて形成され、
ここでＰＥＧ３はタンパク質の非特異的吸着を防ぎ、そして
ここでＤＴＳＰ上のカルボキシル部分はアプタマーと安定な結合を形成する、請求項１に記載のセンサー。
【発明の詳細な説明】
【技術分野】
【０００１】
関連出願への相互参照
[0001]  この出願は２０１２年１月３１日に出願された米国仮出願シリアル番号６１／５９３，０５４の利益を主張し、その全開示は参照により明確に本明細書に援用される。
【０００２】
連邦政府により資金提供を受けた研究に関する記載
[0002]  本発明は一切の政府支援なしでなされ、政府は本発明において権利を有しない。
【０００３】
配列リスト
[0003]  本出願はＥＦＳ−ｗｅｂを介して提出された配列リストを含み、それは参照によりそのまま本明細書に援用される。２０１３年１月３１日に作成されたＡＳＣＩＩコピーは４２０＿５３３５４＿ＳＥＱ＿ＬＩＳＴ＿Ｄ２０１２−１５．ｔｘｔと名付けられており、大きさは３，８８８バイトである。
【０００４】
技術分野および産業上の利用可能性
[0004]  本発明は、アプタマーで官能化された（ｆｕｎｃｔｉｏｎａｌｉｚｅｄ）表面プラズモン共鳴（ＳＰＲ）センサー、その同じものを作る方法および用いる方法に関する。
【背景技術】
【０００５】
[0005]  以下の記述は本開示に関連する情報の要約を提供し、本明細書で提供された情報または参照された刊行物のいずれかが特許請求される発明に対する先行技術であるという容認ではない。
【０００６】
[0006]  血液タンパク質の直接検出は、糖尿病における特異的なタンパク質の糖化の比率のモニタリング、薬物研究および環境モニタリングのためのバイオマーカー、癌の診断および処置等におけるようないくつかの科学的および臨床的適用に利益を与えることができる。血液タンパク質に関する現在の臨床および実験室測定技法は、ボロネート親和性免疫アッセイ、高速液体クロマトグラフィー（ＨＰＬＣ）、質量分析および毛細管に基づくシステムであり、それは時間がかかり、かつ費用がかかる。
【０００７】
[0007]  より効率的かつ高速応答の測定法は、関連する適用領域に、特にリアルタイム分析が可能な次世代の携帯可能な手持ち式の診断装置の開発に関して大きく利益を与え、その領域を増進することができるであろう。近年では、いくつかの光学に基づく診断技法、例えば近赤外分光法、旋光分析、光干渉断層撮影、表面プラズモン共鳴（ＳＰＲ）、ラマンおよび蛍光分光法が血液構成要素をモニタリングするために研究されている。しかし、これらの光学的方法の多くは、研究している試料中に存在し得る混乱させる（ｃｏｎｆｏｕｎｄｉｎｇ）物質の作用により、それらの有用性が限られている。
【０００８】
[0008]  高い特異性で標的分子に結合することができる核酸分子のインビトロ選択のための１つの方法は一般にＳＥＬＥＸ（指数関数的増幅によるリガンドの系統的進化）として知られており、“Nucleic Acid Ligands”と題された米国特許第５，４７５，０９６号および“Nucleic Acid Ligands”と題された米国特許第５，２７０，１６３号において記述されており、そのそれぞれは参照により具体的に本明細書に援用される。
【０００９】
[0009]  現在用いられているＳＥＬＥＸプロセスは有用であるが、より選択性の高いア
プタマーの選択をインビトロでの選択技法から生み出すことを可能とする改善されたプロセスが常に必要とされている。
【先行技術文献】
【特許文献】
【００１０】
【特許文献１】米国特許第５，４７５，０９６号
【特許文献２】米国特許第５，２７０，１６３号
【発明の概要】
【００１１】
[0010]  １つの広い観点において、本明細書において、支持体に連結されたアミン末端または同様のものを有するアプタマープローブを含む、標的実体（ｅｎｔｉｔｙ）の存在を検出するためのセンサーが提供され、ここで、そのセンサーがエネルギー源により励起された際、以下のどちらかであり：ｉ）その標的実体およびそのアプタマープローブの間の特異的な相互作用の非存在下ではベースラインシグナルが発せられ；またはｉｉ）その標的実体およびそのアプタマープローブの間の特異的な相互作用の存在下では検出シグナルが発せられ、ここでそのベースラインシグナルはその検出シグナルとは異なり、それによりその標的実体の選択的存在が検出される。
【００１２】
[0011]  特定の態様において、そのアプタマープローブにはその標的実体と特異的に相互作用するヌクレオチド配列が含まれる。
[0012]  特定の態様において、その標的実体は、大きな生体分子、小さな生体分子、有機分子、小分子、核酸、金属イオン、タンパク質、酵素、ペプチド、薬物、色素、癌細胞、ウイルス、ホルモン、または微生物の１以上である。特定の態様において、そのタンパク質は血液タンパク質である。
【００１３】
[0013]  特定の態様において、そのアプタマープローブはアプタマーおよび結合したアミン部分を含む。
[0014]  特定の態様において、そのアプタマープローブにはその支持体およびそのアミン部分の間のＳＡＭリンカーが含まれる。
【００１４】
[0015]  特定の態様において、そのアミン末端アプタマープローブは３−メルカプトプロピオン酸（ＭＰＡ）によりその支持体に連結されている。
[0016]  特定の態様において、そのセンサーはそのリンカーの特性に基づいてｐＭ〜ｎＭの検出が可能である調整可能な検出可能範囲を有する。
【００１５】
[0017]  広い観点において、本明細書において、以下の工程を含む、標的実体が試料中に存在するかどうかを決定する方法が提供される：ｉ）その試料を本明細書で記述されるようなセンサーと接触させ；ｉｉ）そのセンサーをエネルギー源により励起し；そしてｉｉｉ）発せられたシグナルの強度を決定し、それによりその標的実体がその試料中に存在するかどうかを決定する。
【００１６】
[0018]  特定の態様において、そのエネルギー源は表面プラズモン共鳴（ＳＰＲ）を用いて測定される。
[0019]  特定の態様において、その方法は１分未満の応答時間を有する。特定の態様において、その方法はおよそ周囲温度において１分未満の応答時間を有する。
【００１７】
[0020]  別の広い観点において、本明細書において、本明細書で記述されるようなセンサーおよびそのセンサーを含有する少なくとも１個の容器を含む標的実体の検出のためのキットが提供され、ここで試料をその容器に添加することができる。
【００１８】
[0021]  別の広い観点において、本明細書において、以下の工程を含む、センサーを作るための方法が提供される：ｉ）自己組織化単分子膜（ｓｅｌｆ−ａｓｓｅｍｂｌｅｄ  ｍｏｎｏｌａｙｅｒ）（ＳＡＭ）リンカーを支持体に固定し；そしてｉｉ）アミン末端アプタマーをそのＳＡＭリンカーに固定する。
【００１９】
[0022]  別の広い観点において、本明細書において、以下の工程を含む、センサーを作るための方法が提供される：ｉ）支持体を自己組織化単分子膜（ＳＡＭ）リンカーを用いて官能化し；ｉｉ）工程ｉ）の官能化された支持体を、アミン部分がそのＳＡＭリンカー上に固定されるのに十分なアミン部分を有する組成物に曝露し；ｉｉｉ）工程ｉｉ）のアミンで官能化された支持体を、アプタマーがそのアミン部分上で固定されるのに十分な少なくとも１種類のアプタマーに曝露し；ｉｖ）場合により、非特異的に固定されたアプタマーを除去し；そしてｖ）工程ｉｉｉ）またはｉｖ）のアミン末端アプタマーで官能化された支持体を、そのアミン部分により活性化された占有されていないＳＡＭ部位をブロッキングするのに十分なブロッキング剤に曝露する。
【００２０】
[0023]  特定の態様において、そのアミン部分を有する組成物は、Ｎ−ヒドロキシスクシンイミド（ＮＨＳ）およびＮ−（３−ジメチルアミノプロピル）−Ｎ−エチルカルボジイミド塩酸塩（ＥＤＣ）の１以上にカップリングされている。
【００２１】
[0024]  別の観点において、本明細書において、本明細書で記述されるようなセンサー用いて血液タンパク質を検出するための方法が提供される。
[0025]  別の観点において、本明細書において、糖尿病療法指導における適用のための糖化タンパク質の超高感度かつ選択的な検出および測定のための方法が提供される。１つの特定の態様において、その方法には表面プラズモン共鳴分光法の使用が含まれる。
【００２２】
[0026]  別の態様において、この官能化法はラマンおよび蛍光分光法が含まれる他の感知様式に適用可能であり、既存のモニタリング技術の性能をさらに向上させるために用いることができる。
【００２３】
[0027]  別の観点において、本明細書において、血液タンパク質の特定の糖化形態を標的とするアプタマーのインビトロ選択を最適化するための方法が提供される。１態様において、感度および選択性を標的特性に基づいて最適化するために表面官能化法が用いられる。
【００２４】
[0028]  別の観点において、本明細書において、研究している試料中に存在し得る混乱させる物質の作用をさらに低減するための方法が提供される。
[0029]  さらに別の観点において、本明細書において、既存の大規模臨床計測手段と類似の性能を達成することができる、頑強、低費用、かつ携帯式の感知プラットフォームが提供される。加えて、その統合されたプラットフォームは、インスリン依存性糖尿病療法へのコンプライアンスを評価することができる診断装置において有用である。その統合されたプラットフォームは、医師の診療室において、または家庭環境においてのどちらでも用いることができる低費用な手持ち式の装置を可能にする。その統合されたプラットフォームは収集されたデータの即時分析も提供し、そうして介護者および／または患者がその患者の長期グルコース調節コンプライアンスを評価することを可能にする。
【００２５】
[0030]  別の広い観点において、本明細書において、少なくとも１ラウンドの指数関数的増幅（ｅｘｐｏｎｅｎｔｉａｌ）によるリガンドの系統的進化（ＳＥＬＥＸ）濃縮（ｅｎｒｉｃｈｍｅｎｔ）プロトコルにおいて非標的候補（例えば非糖化候補）を導入し、そして少なくとも１回の第２ラウンドのＳＥＬＥＸプロトコルにおいてその非標的候補を導入して糖化および非糖化タンパク質形態の両方に対する親和性を有するアプタマー候補を
除去することを含む、定められた部位（例えば糖化タンパク質部位）に対して標的化されたアプタマーを同定するための方法が提供される。
【００２６】
[0031]  別の広い観点において、本明細書において、所望の連結間隔および／または連結長を有する連結を用いる二成分自己組織化単分子膜（ＳＡＭ）形成プロセスを用いることを含む、感度および／または選択性を標的および／またはアプタマー特性に基づいて最適化するための表面官能化法が提供され、ここでその連結間隔および／または連結長の少なくとも一方は、表面プラズモン共鳴（ＳＰＲ）の感度および選択性を標的および／またはアプタマー特性に基づいて最適化するように選択される。
【００２７】
[0032]  別の観点において、本明細書において、１タイプ以上のアプタマーを自己組織化単分子膜（ＳＡＭ）連結を有する支持体に連結することを含む、１種類以上の分析物に関するセンサーの感度および／または選択性を最適化するための方法が提供され、そのＳＡＭ連結はその支持体上に官能化された表面を形成するための所望の連結間隔および／または連結長を有する。その所望の連結間隔および／または連結長は、表面プラズモン共鳴（ＳＰＲ）、ラマン分光法、または蛍光分光法の感度および選択性の少なくとも１つを分析物および／またはアプタマーの特性に基づいて最適化するように選択することができる。
【００２８】
[0033]  特定の態様において、そのＳＡＭ連結の少なくとも１つの充填密度および／または長さは表面プラズモン共鳴（ＳＰＲ）シグナルに影響を及ぼす。
[0034]  特定の態様において、連結は二成分ＳＡＭおよび還元脱着プロセスによる。
【００２９】
[0035]  特定の態様において、その脱着プロセスは、その支持体の官能化された表面をタンパク質吸着に耐性の物質に曝露してタンパク質のその官能化された支持体上での非特異的な吸着を防ぐことを含む。
【００３０】
[0036]  特定の態様において、そのタンパク質吸着耐性物質は（１−メルカプト−１１−ウンデシル）トリ（エチレングリコール）（ＰＥＧ３）を含む。
[0037]  特定の態様において、そのＳＡＭ連結はチオールＳＡＭ固定法を用いることを含み、ここでチオール化合物はそのアプタマーと安定な結合を形成することができるカルボキシ部分を有する。
【００３１】
[0038]  特定の態様において、そのチオール化合物はジチオビス−Ｎ−スクシンイミジルプロピオネート（ＤＴＳＰ）を含む。
[0039]  特定の態様において、そのＳＡＭ連結はジチオビス−Ｎ−スクシンイミジルプロピオネート（ＤＴＳＰ）および（１−メルカプト−１１−ウンデシル）トリ（エチレングリコール）（ＰＥＧ３）を用いて形成され、ここでＰＥＧ３はタンパク質の非特異的吸着を防ぎ、ここでＤＴＳＰ上のカルボキシル部分はそのアプタマーと安定な結合を形成する。
【００３２】
[0040]  特定の態様において、二成分ＳＡＭチオール溶液がそのＳＡＭ連結において用いられる。
[0041]  特定の態様において、その二成分ＳＡＭチオール溶液は、３−メルカプトプロピオン酸（ＭＰＡ）および（１−メルカプト−１１−ウンデシル）トリ（エチレングリコール）（ＰＥＧ３）の１ｍＭエタノール溶液をその二成分ＳＡＭの総濃度を約１ｍＭで維持しながら混合することにより調製される。
【００３３】
[0042]  特定の態様において、ＭＰＡおよびＰＥＧ３は約２０：８０、約５０：５０または約８０：２０の比率で存在する。
[0043]  特定の態様において、その方法はさらに、還元脱着によりＭＰＡを排除してＰＥＧ３を未変化（ｉｎｔａｃｔ）のままにし、そしてジチオビス−Ｎ−スクシンイミジルプロピオネート（ＤＴＳＰ）をそのアプタマー上のアミノ基と共有結合させることを含み、ここでそのアプタマーはＤＴＳＰにのみ結合し、ここで一方でＰＥＧ３は結合を一切形成しない。
【００３４】
[0044]  特定の態様において、そのアプタマーはそのＭＰＡ上に固定されることができるアミン修飾アプタマーを含む。
[0045]  特定の態様において、その表面は約５ｎＭ〜約１０００ｎＭの範囲の最適な動力（ｄｙｎａｍｉｃ）を有する。
【００３５】
[0046]  特定の態様において、そのセンサーには混合された長さのスペーサー層が含まれる。
[0047]  特定の態様において、その混合された長さの層は３−メルカプトプロピオン酸（ＭＰＡ）と組み合わせられた１１−メルカプトウンデカン酸（ＭＵＡ）を含む。
【００３６】
[0048]  特定の態様において、その表面に直接結合して自己組織化単分子膜（ＳＡＭ）を形成することができる水溶性チオール含有アミノ酸が用いられる。特定の態様において、そのアミノ酸はシステインを含む。
【００３７】
[0049]  別の観点において、本明細書において、以下の工程を含む、１種類以上の分析物のためのセンサーを形成するための方法が提供される：３−メルカプトプロピオン酸（ＭＰＡ）および（１−メルカプト−１１−ウンデシル）トリ（エチレングリコール）（ＰＥＧ３）からなる二成分を支持体上に吸着させ；工程ａ）の支持体からＭＰＡを還元脱着させ；工程ｂ）の支持体をＤＴＳＰ溶液中に浸漬してその支持体上にＤＴＳＰ層を形成し；少なくとも１タイプのアプタマーを工程ｃ）の支持体上で固定し；そして、工程ｄ）の支持体上のＰＥＧ３から未結合のアプタマーを除去し、そうしてその支持体のＤＴＳＰ層に付着したアプタマーを残す。
【００３８】
[0050]  別の観点において、本明細書において、以下の工程を含む、１種類以上の分析物のためのセンサーを形成するための方法が提供される：３−メルカプトプロピオン酸（ＭＰＡ）および（１−メルカプト−１１−ウンデシル）トリ（エチレングリコール）（ＰＥＧ３）からなる二成分をエタノール溶液中で金表面支持体上に吸着させ；０．５Ｍ  ＫＯＨ溶液中でその支持体からＭＰＡを還元脱着させ、ここでＭＰＡおよびＰＥＧ３の相分離した二成分自己組織化単分子膜（ＳＡＭ）中の吸着したＭＰＡは、その溶液に−１．２Ｖの電位を３０分間かけることにより選択的に還元され；その上にＰＥＧ３層を有する支持体を１ｍＭ  ＤＳＴＰ溶液中に浸漬してその上にＤＴＳＰ層を形成し；少なくとも１タイプのアプタマーをその支持体上で固定し；そしてその支持体上のＰＥＧ３からアプタマーを除去し、そうしてその支持体のＤＴＳＰ層に付着したアプタマーを残す。
【００３９】
[0051]  特定の態様において、その支持体は金表面を有する。
[0052]  特定の態様において、その分析物は血液または血清中のタンパク質の糖化形態を含む。
【００４０】
[0053]  特定の態様において、その方法は、総血清タンパク質レベルから特定の糖化タンパク質の割合を決定することを含む。
[0054]  特定の態様において、その分析物は、ヒトヘモグロビン、ヒト血清アルブミン（ＨＳＡ）が含まれるアルブミン、免疫グロブリンＧ（ＩｇＧ）、免疫グロブリンＭ（ＩｇＭ）、フィブリノーゲン、および／またはその断片の１以上の非糖化および／または糖化形態を含む。
【００４１】
[0055]  特定の態様において、その分析物は少なくとも１種類の第２分析物と異なる半減期を有する少なくとも１種類の第１分析物を含み、その方法はさらに、その第１および第２分析物を定量化して１以上の期間にわたるその第１および第２分析物のレベルに関する遡及判定を提供することを含む。
【００４２】
[0056]  特定の態様において、その第１分析物はヘモグロビンを含み、その第２分析物はＩｇＭを含む。
[0057]  特定の態様において、その分析物は少なくとも１種類の第１分析物、少なくとも１種類の第２分析物および少なくとも１種類の第３分析物を含み、その第１、第２および第３分析物のそれぞれは異なる半減期を有し、その方法はさらに、その第１、第２および第３分析物を定量化して１以上の期間にわたるその第１、第２および第３分析物のレベルに関する遡及判定を提供することを含む。
【００４３】
[0058]  特定の態様において、その第１分析物はヘモグロビンを含み、その第２分析物はＩｇＭを含み、その第３分析物はアルブミンを含む。
[0059]  特定の態様において、その方法は過去の平均グルコースレベルをモニタリングするために有用であり、その方法は以下の工程を含む：本明細書で記述される方法により形成されたセンサーを血液試料と接触させ；その血液中のそのタンパク質の糖化形態の量を決定し；そしてその血液試料中に糖化形態で存在するそのタンパク質の量を、所与の時間フレームに関して対照グルコースレベルに関連付ける。
【００４４】
[0060]  特定の態様において、そのタンパク質の糖化形態の量は、表面プラズモン共鳴（ＳＰＲ）を用いて決定される。
[0061]  別の観点において、本明細書において、１種類以上の分析物の存在を決定するためのセンサーが提供され、ここでそのセンサーは本明細書で記述される方法のいずれか１つにより形成される。
【００４５】
[0062]  特定の態様において、そのアプタマーには特定の分析物と相互作用することができるヌクレオチド配列が含まれる。
[0063]  特定の態様において、そのセンサーは、大きな生体分子、小さな生体分子、有機分子、小分子、核酸、金属イオン、タンパク質、酵素、ペプチド、薬物、色素、癌細胞、ウイルス、ホルモン、または微生物から選択される１種類以上の分析物と相互作用することができる。
【００４６】
[0064]  特定の態様において、その分析物は、生物学的試料、環境試料、化学的試料、薬学的試料、食品試料、農業試料、および獣医学的試料の１以上である。
[0065]  特定の態様において、そのタンパク質は血液タンパク質である。
【００４７】
[0066]  特定の態様において、そのセンサーはそのリンカーの特性に基づいてｐＭ〜ｎＭの検出が可能である調整可能な検出可能範囲を有する。
[0067]  特定の態様において、そのセンサーは１分未満の応答時間を有する。
【００４８】
[0068]  特定の態様において、そのセンサーはおよそ室温において１分未満の応答時間を有する。
[0069]  別の観点において、本明細書において、本明細書で記述されるようなセンサーおよびそのセンサーを含有する少なくとも１個の容器を含む、１種類以上の分析物の検出のためのキットが提供され、ここで試料をその容器に添加することができる。
【００４９】
[0070]  別の観点において、本明細書において、以下の工程を含む、試料中に存在し得
る少なくとも１種類の混乱させる物質の作用を低減するための方法が提供される：その混乱させる物質の非特異的吸着を実質的に低減する／防ぐために十分な１以上の親水性の基をその支持体上の非結合部位において組み込み、アプタマーをその支持体に自己組織化単分子膜（ＳＡＭ）連結を用いて連結し、そのＳＡＭ連結はその支持体上に官能化された表面を形成するための所望の連結間隔および／または連結長を有し、そしてＳＰＲセンサーにより通常のＳＰＲ検出限界を超える分離距離においてアプタマー結合応答を検出する。
【００５０】
[0071]  本明細書において、表面プラズモン共鳴（ＳＰＲ）分光法およびカスタム開発したアプタマーに基づく官能化されたセンサー表面を用いて試験環境中の１種類以上の標的分子またはその断片を検出および／または定量化する方法も記述する。その方法は、ヘモグロビンの半減期より短い半減期を有する標的分子が含まれるがそれらに限定されない大きな範囲の半減期を有するそのような分子の検出および／または測定を可能にする。さらに、その方法は、蛍光色素または光架橋のようなタグまたは標識を用いずに実施することができる。その方法はまた、低い試料消費を有し、速い応答時間（一般に数秒）を提供し、これはそれを糖血症のコンプライアンスの評価における適用に関して有用なものにする。
【００５１】
[0072]  別の観点において、本明細書において、自己組織化単分子膜（ＳＡＭ）連結により支持体に連結された１タイプ以上のアプタマーを含むセンサーであって、そのＳＡＭ連結がその支持体上に官能化された表面を形成するための所望の連結間隔および／または連結長を有し、その所望の連結間隔および／または連結長は表面プラズモン共鳴（ＳＰＲ）、ラマン分光法、または蛍光分光法の感度および選択性を分析物および／またはアプタマーの特性に基づいて最適化するように選択されているセンサーが提供される。
【００５２】
[0073]  特定の態様において、そのＳＡＭ連結の少なくとも１つの充填密度および／または長さは表面プラズモン共鳴（ＳＰＲ）シグナルに影響を及ぼす。
[0074]  特定の態様において、その連結は二成分ＳＡＭおよび還元脱着プロセスによる。
【００５３】
[0075]  特定の態様において、その支持体の官能化された表面は、タンパク質のその官能化された表面上での非特異的な吸着を防ぐために十分なタンパク質吸着に耐性の物質に曝露させてある。
【００５４】
[0076]  特定の態様において、そのタンパク質吸着耐性物質は（１−メルカプト−１１−ウンデシル）トリ（エチレングリコール）（ＰＥＧ３）を含む。
[0077]  そのＳＡＭ連結は、そのアプタマーと安定な結合を形成することができるカルボキシ部分を有するチオール化合物を含む。
【００５５】
[0078]  特定の態様において、そのチオール化合物はジチオビス−Ｎ−スクシンイミジルプロピオネート（ＤＴＳＰ）を含む。
[0079]  特定の態様において、そのＳＡＭ連結はジチオビス−Ｎ−スクシンイミジルプロピオネート（ＤＴＳＰ）および（１−メルカプト−１１−ウンデシル）トリ（エチレングリコール）（ＰＥＧ３）を用いて形成され、ここでＰＥＧ３はタンパク質の非特異的吸着を防ぎ、ここでＤＴＳＰ上のカルボキシル部分はそのアプタマーと安定な結合を形成する。
【００５６】
[0080]  特定の態様において、二成分ＳＡＭチオール溶液がそのＳＡＭ連結において用いられる。
[0081]  特定の態様において、その二成分ＳＡＭチオール溶液は、３−メルカプトプロピオン酸（ＭＰＡ）および（１−メルカプト−１１−ウンデシル）トリ（エチレングリコ
ール）（ＰＥＧ３）の１ｍＭエタノール溶液をその二成分ＳＡＭの総濃度を約１ｍＭで維持しながら混合することにより調製される。
【００５７】
[0082]  特定の態様において、ＭＰＡおよびＰＥＧ３は約２０：８０、約５０：５０または約８０：２０の比率で存在する。
[0083]  特定の態様において、そのＭＰＡが還元脱着により排除されてＰＥＧ３が未変化のままになっており；そしてジチオビス−Ｎ−スクシンイミジルプロピオネート（ＤＴＳＰ）がそのアプタマー上のアミノ基と結合しており、そしてＰＥＧ３は結合を一切形成しない。
【００５８】
[0084]  特定の態様において、そのアプタマーは３−メルカプトプロピオン酸（ＭＰＡ）上に固定されることができるアミン修飾アプタマーを含む。
[0085]  特定の態様において、その表面は約５ｎＭ〜約１０００ｎＭの範囲の最適な動力を有する。
【００５９】
[0086]  特定の態様において、そのセンサーには混合された長さのスペーサー層が含まれる。
[0087]  特定の態様において、その混合された長さの層は３−メルカプトプロピオン酸（ＭＰＡ）と組み合わせられた１１−メルカプトウンデカン酸（ＭＵＡ）を含む。
【００６０】
[0088]  特定の態様において、そのＳＡＭ連結はその支持体の表面に直接結合することができる水溶性チオール含有アミノ酸を含む。
[0089]  特定の態様において、そのアミノ酸はシステインを含む。
【００６１】
[0090]  別の観点において、本明細書において、少なくともその支持体の表面が金であるセンサーが提供される。
[0091]  特定の態様において、そのセンサーは血液中のタンパク質の糖化形態からなる分析物を感知するために設計されている。
【００６２】
[0092]  特定の態様において、そのセンサーは総血清タンパク質レベルから特定の糖化タンパク質の割合を決定するために設計されている。
[0093]  特定の態様において、その分析物はヒトヘモグロビン、ヒト血清アルブミン（ＨＳＡ）が含まれるアルブミン、免疫グロブリンＧ（ＩｇＧ）、免疫グロブリンＭ（ＩｇＭ）、フィブリノーゲン、および／またはその断片の１以上を含み、その分析物は糖化および／または非糖化形態である。
【００６３】
[0094]  特定の態様において、その分析物は少なくとも１種類の第２分析物と異なる半減期を有する少なくとも１種類の第１分析物を含む。
[0095]  特定の態様において、その第１分析物はヘモグロビンからなり、その第２分析物は免疫グロブリンＭ（ＩｇＭ）からなり；そして、ここでその第１分析物または第２分析物のいずれかが糖化または非糖化形態で存在する。
【００６４】
[0096]  特定の態様において、その分析物は少なくとも１種類の第１分析物、少なくとも１種類の第２分析物および少なくとも１種類の第３分析物を含み、その第１、第２および第３分析物のそれぞれは異なる半減期を有する。
【００６５】
[0097]  特定の態様において、その第１分析物はヘモグロビンからなり、その第２分析物はＩｇＭからなり、その第３分析物はアルブミンからなり；ここでその第１分析物、第２分析物または第３分析物の１以上は糖化または非糖化形態で存在する。
【００６６】
[0098]  別の観点において、本明細書において、以下の工程により過去の平均血中分析物レベルをモニタリングするための本明細書で記述されるセンサーのいずれか１つの使用が提供される：本明細書で記述される方法により形成されたセンサーを血液試料と接触させ；その血液中のその分析物の糖化形態の量を決定し；そしてその血液試料分析物中に糖化形態で存在するその分析物の量を、所与の時間フレームに関して対照レベルに関連付ける。
【００６７】
[0099]  特定の態様において、そのタンパク質の糖化形態の量は、表面プラズモン共鳴（ＳＰＲ）を用いて決定される。
[00100]  特定の態様において、そのアプタマーには特定の分析物と相互作用すること
ができるヌクレオチド配列が含まれる。
【００６８】
[00101]  特定の態様において、そのセンサーは、大きな生体分子、小さな生体分子、
有機分子、小分子、核酸、金属イオン、タンパク質、酵素、ペプチド、薬物、色素、癌細胞、ウイルス、ホルモン、または微生物から選択される１種類以上の分析物と相互作用することができる。
【００６９】
[00102]  特定の態様において、その分析物は、生物学的試料、環境試料、化学的試料
、薬学的試料、食品試料、農業試料、および獣医学的試料の１以上である。
[00103]  特定の態様において、その分析物は血液タンパク質である。
【００７０】
[00104]  特定の態様において、そのセンサーはそのリンカーの特性に基づいてｐＭ〜
ｎＭの検出が可能である調整可能な検出可能範囲を有する。
[00105]  特定の態様において、そのセンサーは１分未満の応答時間を有する。
【００７１】
[00106]  特定の態様において、そのセンサーはおよそ室温において１分未満の応答時
間を有する。
[00107]  特定の態様において、そのセンサーにはアプタマーが含まれ、ここでそのア
プタマーはＳＥＱ  ＩＤ  ＮＯ：４、５、６、７、８、９、１０、１１、１２、１３、１４および１５のいずれか１つの配列全体に対して少なくとも７０％の同一性を有するＤＮＡ配列を含む。
【００７２】
[00108]  別の観点において、本明細書において、本明細書で記述されるセンサーのい
ずれか１つ以上およびそのセンサーが含まれる少なくとも１個の容器を含む１種類以上の分析物の検出のためのキットが提供され、ここで試料をその容器に添加することができる。
【００７３】
[00109]  特定の態様において、そのキットはさらに、１個以上の固体支持体、そのセ
ンサーを溶離液から分離するための１種類以上の分離剤、およびアプタマーをそのセンサーから分離するための１種類以上の試薬を含む。
【００７４】
[00110]  別の観点において、本明細書において、以下の工程を含む、その中に単一標
的部位結合アプタマーおよび非標的タンパク質結合アプタマーを有する核酸のプールから単一標的部位結合アプタマーを同定する方法が提供される：
ａ）核酸のプールに単一部位標的タンパク質複合体を添加し、ここでそのプール中に存在する単一標的部位結合アプタマーおよび非標的タンパク質結合アプタマーの両方がその単一部位標的タンパク質複合体に結合し、単一標的部位結合アプタマー＋非標的タンパク質結合アプタマー＋単一部位標的タンパク質複合体を形成し；
ｂ）その単一標的部位結合アプタマー＋非標的タンパク質結合アプタマー＋単一部位標的タンパク質複合体をそのプールから分離し；
ｃ）その単一標的部位結合アプタマーおよびその非標的タンパク質結合アプタマーをその単一部位標的タンパク質複合体から溶離し；
ｄ）前の工程の溶離液に非標的タンパク質複合体を添加し、ここで工程ｃ）の溶離液中に存在する非標的タンパク質結合アプタマーはその非標的タンパク質複合体に結合し、非標的タンパク質結合アプタマー＋非標的タンパク質複合体を形成し；
ｅ）その非標的タンパク質結合アプタマー＋非標的タンパク質複合体を前の工程の溶離液から分離してその溶離液中の単一標的部位結合アプタマーを残し；そして、
ｆ）その単一標的部位結合アプタマーをその溶離液から分離し、場合によりさらにその単一標的部位結合アプタマーを増幅する。
【００７５】
[00111]  特定の態様において、その単一標的部位結合アプタマーを用いて、ヘモグロ
ビン、免疫グロブリンＧ（ＩｇＧ）、免疫グロブリンＭ（ＩｇＭ）およびアルブミンの１つに関して選択する。
【００７６】
[00112]  特定の態様において、その単一標的部位結合アプタマーはＳＥＱ  ＩＤ  Ｎ
Ｏ：３、４、５、６、７、８、９、１０、１１、１２、１３、１４および１５から選択される。
【００７７】
[00113]  特定の態様において、その単一部位標的タンパク質は固体支持体上に固定さ
れている。
[00114]  特定の態様において、その非標的タンパク質複合体は固体支持体上に固定さ
れている。
【００７８】
[00115]  特定の態様において、その固体支持体は磁性ビーズ、クロマトグラフィー用
マトリックス、マイクロタイターディッシュまたはアレイを含む。
[00116]  別の観点において、本明細書において、糖化ヘモグロビンに結合するアプタ
マーが提供され、ここでそのアプタマーはＳＥＱ  ＩＤ  ＮＯ：４および５からなる群から選択される核酸配列を含む。
【００７９】
[00117]  特定の態様において、その糖化ヘモグロビンはヒトヘモグロビンである。
[00118]  特定の態様において、そのアプタマーは１００ｎＭ以下のヒトヘモグロビン
に関する解離定数を有する。
【００８０】
[00119]  別の観点において、本明細書において、糖化ヘモグロビンに結合する本明細
書で記述されるアプタマーが提供され、ここでそのアプタマーはＳＥＱ  ＩＤ  ＮＯ：４および５からなる群から選択される核酸配列ならびに５’リンカーおよび３’リンカーの１以上を含む。
【００８１】
[00120]  特定の態様において、そのリンカーは自己組織化単分子膜（ＳＡＭ）である
。
[00121]  別の観点において、本明細書において、ＳＥＱ  ＩＤ  ＮＯ：４および５の
いずれか１つの配列全体に対して少なくとも７０％の同一性を有し、ヒト糖化ヘモグロビンに結合するアプタマーが提供される。
【００８２】
[00122]  別の観点において、本明細書において、糖化ヘモグロビンのある領域に特異
的に結合することができるポリヌクレオチド配列を含む核酸アプタマー分子にコンジュゲートされた自己組織化単分子膜（ＳＡＭ）を含む物質の組成物が提供され、ここでそのポリヌクレオチド配列はＳＥＱ  ＩＤ  ＮＯ：４および５からなる群から選択される。
【００８３】
[00123]  別の観点において、本明細書において、非糖化ヘモグロビンに結合するアプ
タマーが提供され、ここでそのアプタマーはＳＥＱ  ＩＤ  ＮＯ：６および７からなる群から選択される核酸配列を含む。
【００８４】
[00124]  特定の態様において、その非糖化ヘモグロビンはヒトヘモグロビンである。
[00125]  特定の態様において、そのアプタマーは１００ｎＭ以下のヒトヘモグロビン
に関する解離定数を有する。
【００８５】
[00126]  別の観点において、本明細書において、非糖化ヘモグロビンに結合するアプ
タマーが提供され、ここでそのアプタマーはＳＥＱ  ＩＤ  ＮＯ：６および７からなる群から選択される核酸配列ならびに５’リンカーおよび３’リンカーの１以上を含む。
【００８６】
[00127]  特定の態様において、そのリンカーは自己組織化単分子膜（ＳＡＭ）である
。
[00128]  別の観点において、本明細書において、ＳＥＱ  ＩＤ  ＮＯ：６および７の
いずれか１つの配列全体に対して少なくとも７０％の同一性を有し、ヒト非糖化ヘモグロビンに結合するアプタマーが提供される。
【００８７】
[00129]  別の観点において、本明細書において、非糖化ヘモグロビンのある領域に特
異的に結合することができるポリヌクレオチド配列を含む核酸アプタマー分子にコンジュゲートされた自己組織化単分子膜（ＳＡＭ）を含む物質の組成物が提供され、ここでそのポリヌクレオチド配列はＳＥＱ  ＩＤ  ＮＯ：６および７からなる群から選択される。
【００８８】
[00130]  別の観点において、本明細書において、糖化血清アルブミンに結合するアプ
タマーが提供され、ここでそのアプタマーはＳＥＱ  ＩＤ  ＮＯ：３、８および９からなる群から選択される核酸配列を含む。
【００８９】
[00131]  特定の態様において、その糖化血清アルブミンはヒト糖化血清アルブミンで
ある。
[00132]  特定の態様において、そのアプタマーは１００ｎＭ以下のヒト糖化血清アル
ブミンに関する解離定数を有する。
【００９０】
[00133]  別の観点において、本明細書において、糖化血清アルブミンに結合するアプ
タマーが提供され、ここでそのアプタマーはＳＥＱ  ＩＤ  ＮＯ：３、８および９からなる群から選択される核酸配列ならびに５’リンカーおよび３’リンカーの１以上を含む。
【００９１】
[00134]  特定の態様において、そのリンカーは自己組織化単分子膜（ＳＡＭ）である
。
[00135]  別の観点において、本明細書において、ＳＥＱ  ＩＤ  ＮＯ：３、８および
９のいずれか１つの配列全体に対して少なくとも７０％の同一性を有し、ヒト糖化血清アルブミンに結合するアプタマーが提供される。
【００９２】
[00136]  別の観点において、本明細書において、糖化血清アルブミンのある領域に特
異的に結合することができるポリヌクレオチド配列を含む核酸アプタマー分子にコンジュゲートされた自己組織化単分子膜（ＳＡＭ）を含む物質の組成物が提供され、ここでそのポリヌクレオチド配列はＳＥＱ  ＩＤ  ＮＯ：３、８および９からなる群から選択される。
【００９３】
[00137]  別の観点において、本明細書において、非糖化血清アルブミンに結合するア
プタマーが提供され、ここでそのアプタマーはＳＥＱ  ＩＤ  ＮＯ：１０、１１、１２、１３、１４および１５からなる群から選択される核酸配列を含む。
【００９４】
[00138]  特定の態様において、その非糖化血清アルブミンはヒト非糖化血清アルブミ
ンである。
[00139]  特定の態様において、そのアプタマーは１００ｎＭ以下のヒト非糖化血清ア
ルブミンに関する解離定数を有する。
【００９５】
[00140]  別の観点において、本明細書において、非糖化血清アルブミンに結合するア
プタマーが提供され、ここでそのアプタマーはＳＥＱ  ＩＤ  ＮＯ：１０、１１、１２、１３、１４および１５からなる群から選択される核酸配列ならびに５’リンカーおよび３’リンカーの１以上を含む。
【００９６】
[00141]  特定の態様において、そのリンカーは自己組織化単分子膜（ＳＡＭ）である
。
[00142]  別の観点において、本明細書において、ＳＥＱ  ＩＤ  ＮＯ：１０、１１、
１２、１３、１４および１５のいずれか１つの配列全体に対して少なくとも７０％の同一性を有し、ヒト非糖化血清アルブミンに結合するアプタマーが提供される。
【００９７】
[00143]  別の観点において、本明細書において、非糖化血清アルブミンのある領域に
特異的に結合することができるポリヌクレオチド配列を含む核酸アプタマー分子にコンジュゲートされた自己組織化単分子膜（ＳＡＭ）を含む物質の組成物が提供され、ここでそのポリヌクレオチド配列はＳＥＱ  ＩＤ  ＮＯ：１０、１１、１２、１３、１４および１５からなる群から選択される。
【００９８】
[00144]  特定の態様において、そのアプタマーは少なくとも１個の化学修飾を含む。
[00145]  特定の態様において、その修飾は、糖の位置における化学的置換、ヌクレオ
チド間結合における化学的置換、および塩基の位置における化学的置換からなる群から選択される。
【００９９】
[00146]  別の観点において、本明細書において、有効量の本明細書で記述されるアプ
タマー、またはその塩、およびそのための支持体を含む試験試薬が提供される。
[00147]  別の観点において、本明細書において、少なくとも１種類の本明細書で記述
されるようなアプタマーを含むキットが提供される。
【０１００】
[00148]  特定の態様において、そのアプタマーはＰＥＧ化されている。
[00149]  特定の態様において、そのＰＥＧ化されたアプタマー分子には（１−メルカ
プト−１１−ウンデシル）トリ（エチレングリコール）（ＰＥＧ３）が含まれる。
【０１０１】
[00150]  特定の態様において、そのＳＡＭ連結はジチオビス−Ｎ−スクシンイミジル
プロピオネート（ＤＴＳＰ）および（１−メルカプト−１１−ウンデシル）トリ（エチレングリコール）（ＰＥＧ３）を用いて形成される。
【０１０２】
[00151]  特定の態様において、そのアプタマーは少なくとも１個の化学修飾を含む。
[00152]  特定の態様において、その修飾は、糖の位置における化学的置換、ヌクレオ
チド間結合における化学的置換、および塩基の位置における化学的置換からなる群から選択される。
【０１０３】
[00153]  有効量の１種類以上の本明細書で記述されるアプタマーまたはその塩、およ
びそのための支持体を含む試験試薬。
[00154]  １種類以上の本明細書で記述されるアプタマーを含むキット。
【０１０４】
[00155]  別の観点において、本明細書において、ＳＥＱ  ＩＤ  ＮＯ：３、４、５、
６、７、８、９、１０、１１、１２、１３、１４および１５からなる群から選択される精製および単離された非天然存在ＤＮＡ配列が提供される。
【０１０５】
[00156]  別の観点において、本明細書において、以下の工程を含む、試料中に存在し
得る少なくとも１種類の混乱させる物質の作用を低減するための方法が提供される：ａ）その混乱させる物質の非特異的吸着を実質的に低減する／防ぐために十分な１以上の親水性の基をその支持体上の非結合部位において組み込み、ｂ）アプタマーをその支持体に自己組織化単分子膜（ＳＡＭ）連結を用いて連結し、そのＳＡＭ連結はその支持体上に官能化された表面を形成するための所望の連結間隔および／または連結長を有し、そしてｃ）ＳＰＲセンサーにより通常のＳＰＲ検出限界を超える分離距離においてアプタマー結合応答を検出する。
【０１０６】
[00157]  本発明の他のシステム、方法、特徴、および利点は、以下の図面および詳細
な記述を吟味すれば当業者には明らかであり、または明らかになるであろう。全てのそのような追加のシステム、方法、特徴、および利点はこの記述の範囲内に含まれ、本発明の範囲内であり、そして添付の特許請求の範囲により保護されることが意図されている。
【０１０７】
[00158]  本特許または出願書類は、１個以上のカラーで作成された図面および／また
は１個以上の写真を含んでいてよい。カラーの図面（単数または複数）および／または写真（単数または複数）を有するこの特許または特許出願刊行物のコピーは、請求および必要な料金の支払いに応じて特許庁により提供されるであろう。
【図面の簡単な説明】
【０１０８】
【図１】[00159]  図１：感知表面官能化法の模式図。
【図２】[00160]  図２：５ｍＭ  Ｆｅ（ＣＮ）６３−／Ｆｅ（ＣＮ）６４−  （カラムＡ）むき出しの（Ｂａｒｅ）Ａｕ；（カラムＢ）Ａｕ／ＭＰＡ／ＥＤＣ−ＮＨＳ／ＥＡ／ＰＰＡ；（カラムＣ）Ａｕ／ＭＰＡ／ＥＤＣ−ＮＨＳ／ＥＡ／ＰＰＡ／ＡＰＴ１を含有する１００ｍＭ  ＰＢ溶液（ｐＨ７．２）中で得られたインピーダンススペクトルのナイキストプロット。右のプロットはそれぞれの層の（Ｒｅｔ）を示す。インピーダンススペクトルは０．１Ｈｚから１００ｋＨｚまでの周波数範囲において５ｍＶ  ｒｍｓの電位振幅で１０倍あたり１０点（１０  ｐｏｉｎｔｓ  ｐｅｒ  ｄｅｃａｄｅ）で集められた。
【図３】[00161]  図３：磁性ビーズカップリング法によるｍｏｌでのアプタマー／トロンビン結合比を示すグラフ。
【図４】[00162]  図４：むき出しのＡｕおよびアプタマーで修飾されたセンサーのＳＰＲ応答を示すグラフ。全てのデータの点は３つの実験データの読み取りから平均された。試料はトロンビンのみ（上のプロット）および４００ｎＭ  ＢＳＡを伴うトロンビン（下のプロット）であった。はめ込みプロットは、より低い濃度でのよりよい可視化を可能にするために対数スケールでプロットされた同じデータである。
【図５】[00163]  図５：４００ｎＭ  ＢＳＡ（ＢＳＡ群）、５００ｎＭトロンビン（トロンビン群）、および４００ｎＭ  ＢＳＡを伴う５００ｎＭトロンビン（トロンビン＋ＢＳＡ群）に関する異なる感知表面のＳＰＲ応答を示すグラフ。エラーバーは、３つの新しく調製された試料から決定された値の標準偏差を表す。
【図６】[00164]  図６：４００ｎＭ  ＢＳＡを伴う、および伴わない５０ｎＭ、２５０ｎＭ、５００ｎＭトロンビンに関する異なる感知表面のＳＰＲ応答を示すグラフ、上の軸（ＡＰＴ１）、下の軸（ＡＰＴ２）；下の軸のゼロの位置は、重なり合っているであろうデータの点をよりよく識別するために意図的にシフトさせてある。
【図７】[00165]  図７：励起された表面プラズモンの模式図。
【図８ａ】[00166]  図８ａ：クレッチマン配置でのＳＰＲの模式図。
【図８ｂ】[00167]  図８ｂ：屈折率の変化による共鳴角のシフトの模式図。
【図９】[00168]  図９：ＨｂＡ１ｃのＳＰＲ感知表面に付着したＳＡＭ表面上に固定されたアプタマーとの結合の模式図（上）；および、屈折率の変化による共鳴角のシフトの模式図（下）。
【図１０】[00169]  図１０：異なる糖化レベルのＨＳＡに関するＳＰＲ応答を示すグラフ（％パーセント比；糖化／総タンパク質）。注釈：それぞれの試料の総タンパク質濃度は、１μｇ／ｍＬ総タンパク質のレベルで一定である。（緑）アプタマーで官能化された表面、（赤）むき出しのＡｕ表面。
【図１１】[00170]  図１１ａ〜１１ｅ：ＤＴＳＰ−ＰＥＧ３二成分ＳＡＭ形成に関する還元脱着の模式図：（図１１ａ）ＭＰＡおよびＰＥＧ３のＡｕ上での同時吸着；（図１１ｂ）ＭＰＡの還元脱着；（図１１ｃ）ＤＴＳＰの吸着；（図１１ｄ）アプタマーの固定；および、（図１１ｅ）ＰＥＧ３からのアプタマーの除去。
【図１２】[00171]  図１２：ＳＥＬＥＸプロセスに関するＭＢ対抗選択の模式図。
【発明を実施するための形態】
【０１０９】
[00172]  この開示全体を通して、様々な刊行物、特許および公開された特許明細書は
同定する引用により参照される。これらの刊行物、特許および公開された特許明細書の開示は、この発明が属する技術分野の技術水準をより完全に記述するために、本開示中に参照により本明細書に援用される。
【０１１０】
[00173]  定義
[00174]  この明細書において引用される全ての刊行物、公開された特許文書、および
特許出願は、本発明が属する技術分野（単数または複数）における技術のレベルを示している。本明細書で引用される全ての刊行物、公開された特許文書、および特許出願は、あたかもそれぞれの個々の刊行物、公開された特許文書、または特許出願が具体的に、かつ個別に参照により援用されることが示されたのと同程度まで参照により本明細書に援用される。
【０１１１】
[00175]  特許請求の範囲を含め、この明細書で用いられる際、単数形“ａ”、“ａｎ
”、および“ｔｈｅ”には、内容が明確に別途指示しない限り、複数の言及も含まれ、“少なくとも１”および“１以上”と互換的に用いられている。すなわち、“アプタマー（単数）”への言及にはアプタマー（複数）の混合物が含まれ、“核酸（複数）”への言及には核酸（複数）の混合物が含まれる、等。
【０１１２】
[00176]  本明細書で用いられる際、用語“約”は、数値が関連する項目の基本的な機
能が変わらないような、数値の重要でない修正または変動を表す。
[00177]  本明細書で用いられる際、用語“含む（ｃｏｍｐｒｉｓｅｓ）”、“含むこ
と（ｃｏｍｐｒｉｓｉｎｇ）”、“含まれる（ｉｎｃｌｕｄｅｓ）”、“含まれること（ｉｎｃｌｕｄｉｎｇ）”、“含有する（ｃｏｎｔａｉｎｓ）”、“含有すること（ｃｏｎｔａｉｎｉｎｇ）”、およびそれらのあらゆる変形は非排他的な包含を含むことが意図されており、従って、要素もしくは要素のリストを含む、要素もしくは要素のリストが含まれる、または要素もしくは要素のリストを含有する問題のプロセス、方法、プロダクトバイプロセス、または組成物には、それらの要素のみが含まれるのでなく、問題のそのようなプロセス、方法、プロダクトバイプロセス、または組成物に明確に列挙されていない、または本来備わっていない他の要素も含まれてよい。
【０１１３】
[00178]  用語“アプタマー”は、本明細書で用いられる際、特定の標的実体に結合す
ることができるオリゴ核酸またはペプチド分子を示す。一般に、アプタマーは、小分子、例えば薬物および色素から複雑な生物学的分子、例えば酵素、ペプチド、およびタンパク質までに及ぶ様々な標的化合物に関するそれらの高い親和性および選択性のため、抗体模
倣物の役目を果たすことができる人工オリゴヌクレオチドである。特定の標的化合物に関するカスタムアプタマーを、指数関数的増幅によるリガンドの系統的進化（ＳＥＬＥＸ）と呼ばれるインビトロの反復プロセスにより、ランダムオリゴヌクレオチドライブラリーから同定することができる。ＳＥＬＥＸプロセスの例に関して、参照によりそのまま本明細書に援用される米国特許第５，２７０，１６３号；第５，４７５，０９６号；および第５，５６７，５８８号を参照。
【０１１４】
[00179]  アプタマーは、抗体と類似して、それらの標的化合物に特異的な受容体の役
目を果たす３Ｄ構造を形成することができる。アプタマーは、広い範囲のｐＨおよび塩濃度に対する許容性、熱安定性、合成の容易さ、および費用効率のような、抗体を超えるいくつかの利点も有する。アプタマーの特異性および親和性は、抗体よりも高くないとしても、抗体と同等である。アプタマーは標的化合物の放出のために可逆的に変性させることもでき、それはアプタマーをバイオセンシング適用に関して特に有用な受容体にする。
【０１１５】
[00180]  例えば、アプタマーは、様々な標的に結合させるためにインビトロ選択の繰
り返されるラウンドまたは当業者が同定可能な均等な技法により設計された一本鎖（ｓｓ）オリゴヌクレオチドからなることができ、および／または化学的に合成されたペプチドであることができる。
【０１１６】
[00181]  “アプタマー”または“核酸リガンド”は、特定のヌクレオチド配列を有す
る核酸分子の１タイプまたは種のコピーのセットである。アプタマーには、あらゆる適切な数のヌクレオチドが含まれることができる。“アプタマー（複数）”は、１より多くのそのような分子のセットを指す。異なるアプタマーは同じ数または異なる数のヌクレオチドのどちらを有していてもよい。アプタマーはＤＮＡもしくはＲＮＡであってよく、一本鎖、二本鎖であってよく、または二本鎖領域を含有していてよい。
【０１１７】
[00182]  アプタマーおよび分析物または標的の間の親和性相互作用は程度の問題であ
ることは理解されるべきである。すなわち、アプタマーのその標的に関する“特異的な結合親和性”は、そのアプタマーが一般にそのようなアプタマーが混合物または試料中の他の非標的構成要素に結合し得るよりもはるかに高い程度の親和性でその標的に結合することを意味する。
【０１１８】
[00183]  本明細書で用いられる際、用語“増幅”または“増幅すること”は、ある分
子またはあるクラスの分子の量またはコピー数を増大させるあらゆるプロセスまたはプロセス工程の組み合わせを意味する。
【０１１９】
[00184]  本明細書で用いられる際、“プール”はそれから所望のリガンドを選択する
ための異なる配列の核酸の混合物である。プールの源は、天然に存在している核酸またはその断片、化学的に合成された核酸、酵素的に合成された核酸または前記の技法の組み合わせにより作られた核酸からであることができる。修飾されたヌクレオチド、例えば検出可能な標識、反応性の基または他の修飾を有するヌクレオチドを、そのプール中に組み込むことができる。特定の態様において、ＳＥＬＥＸプロセスおよび／または本明細書で記述される向上したＳＥＬＥＸ法を用いてプールを生成することができる。プールは、その核酸を構造により、そして化学的、大きさ、または他の分離法によってではなく分離することができるように、１以上の共通の構造部分を有する核酸も含むこともできる。本明細書で用いられる際、プールは時々“ライブラリー”または“候補または核酸混合物”とも呼ばれる。例えば、“ＲＮＡプール”はＲＮＡからなる候補混合物を指す。
【０１２０】
[00185]  本明細書で用いられる際、“核酸”、“オリゴヌクレオチド”、および“ポ
リヌクレオチド”はあらゆる長さのヌクレオチドのポリマーを指して互換的に用いられて
おり、そのようなヌクレオチドにはデオキシリボヌクレオチド、リボヌクレオチド、および／またはアナログもしくは化学的に修飾されたデオキシリボヌクレオチドもしくはリボヌクレオチドが含まれ得る。用語“ポリヌクレオチド”、“オリゴヌクレオチド”、および“核酸”には、二本鎖または一本鎖分子ならびに三重らせん分子が含まれる。
【０１２１】
[00186]  用語“センサー”には、本明細書で用いられる際、物理量を測定し、それを
観察者が、または機器が読み取ることができるシグナルに変換する装置を示す。理解されているように、センサーは既知の標準に対して較正される。従って、センサーを用いて、そのアプタマーの標的実体への親和性を利用することにより標的実体を捕捉することができ、それは本開示を読めば当業者には同定可能である技法を用いて検出することができる。
【０１２２】
[00187]  用語“検出する”または“検出”は、本明細書で用いられる際、試料、反応
混合物、分子複合体ならびにプラットフォームおよびアレイが含まれる支持体が含まれるがそれらに限定されない空間の限られた部分における標的またはシグナルの存在（ｅｘｉｓｔｅｎｃｅ）、存在（ｐｒｅｓｅｎｃｅ）または事実の決定を示す。検出は、それが標的またはシグナルの量（ｑｕａｎｔｉｔｙ）または量（ａｍｏｕｎｔ）の測定（定量化とも呼ばれる）を指す、それに関する、またはそれを含む場合“定量的”であり、それにはその標的またはシグナルの量または割合を決定するために設計されたあらゆる分析が含まれるが、それらに限定されない。検出は、それが定量化されない別の標的またはシグナルに対する相対的な存在量の点での標的またはシグナルの質または種類の同定を指す、それに関する、またはそれを含む場合、“定性的”である。“光学的検出”は、視覚的に検出可能なシグナル：対象の標的またはその標的に付着したプローブからのスペクトルまたは画像により実施される検出を示す。
【０１２３】
[00188]  用語“標識剤”、“標識”、または“検出可能部分”、または“検出可能要
素”または“検出可能構成要素”は、標的分子／アプタマー複合体を検出するために用いることができる１種類以上の試薬を指す。検出可能部分または標識は、直接または間接的に検出することができる。
【０１２４】
[00189]  用語“標的”、“標的実体”および“分析物”は本明細書において互換的に
用いられてよく、一般に試料中のその存在または非存在を検出しなければならない物質、化合物または構成要素を指す。分析物には生体分子および特にバイオマーカーが含まれるが、それらに限定されない。用語“生体分子”は、本明細書で用いられる際、糖類、アミノ酸、ペプチド、タンパク質、オリゴヌクレオチド、ポリヌクレオチド、ポリペプチド、有機分子、ハプテン、エピトープ、生物細胞、生物細胞の一部、ビタミン、ホルモン等が含まれるがそれらに限定されない生物学的環境に関連付けられた物質、化合物または構成要素を示す。用語“バイオマーカー”は、細胞周期の期、健康および疾患状態が含まれるがそれらに限定されない生物学的環境の特定の状態と関係する生体分子を示す。そのバイオマーカーの存在、非存在、低減、上方制御は特定の状態と関係しており、特定の状態を示している。用語“ポリペプチド”、“ペプチド”、および“タンパク質”は、線状であれ分枝状であれ、あらゆる長さのアミノ酸のポリマーを含むことが意図されており、それは天然に、または介入により、例えば糖鎖付加、脂質付加、アセチル化、リン酸化、ジスルフィド結合形成、コンジュゲーション、または他の操作もしくは修飾により修飾されている可能性があり、修飾されていない可能性もある。
【０１２５】
[00190]  用語“固体支持体”は、分子が直接または間接的に共有結合または非共有結
合のどちらかにより付着することができる表面を有するあらゆる支持体を意味する。その支持体材料は、天然に存在しているもの、合成されたもの、または天然に存在している材料の修飾であってよい。固体支持体材料には、磁性ビーズ、または例えばその表面上に組
み込まれた１個以上の官能基、例えばアミノ、カルボキシル、チオール、またはヒドロキシル官能基のいずれかを有することができるあらゆる他の材料が含まれてよい。その固体支持体は、単純から複雑までに及ぶ様々な構成のいずれをとることもでき、ビーズ、円盤、粒子、平板、棒、細片、チューブ、ウェル等が含まれるいくつかの形状のいずれか１つを有することができる。その表面は、比較的平面状（例えばスライド）、球状（例えばビーズ）、円筒状（例えばカラム）、または溝付き（ｇｒｏｏｖｅｄ）であってよい。
【０１２６】
[00191]  用語“分離すること”は、それにより混合物の１以上の構成要素がその混合
物の他の構成要素から分離されるあらゆるプロセスを意味する。例えば、標的分子に結合したアプタマーを、標的分子に結合していない他の核酸から、および非標的分子から分離することができる。すなわち、分離プロセスまたは工程は、候補混合物中の全ての核酸の、標的分子に対するそれらの相対的親和性および／または解離速度に基づく少なくとも２つのプール中への分離を可能にする。その分離プロセスは様々な方法により成し遂げることができる。例えば、その上に標的分子がコンジュゲートされている磁性ビーズを用いて混合物中のアプタマーを分離することもできる。別の例として、表面プラズモン共鳴（ＳＰＲ）技術を用いて、標的をセンサーチップ上に固定し、混合物をそのチップ上で流すことにより、混合物中の核酸を分離することができ、ここでその標的に関する親和性を有する核酸はその標的に結合することができ、残った核酸は洗い流すことができる。
【０１２７】
[00192]  用語“試料”は、本明細書で用いられる際、標的または分析物を含んでいる
可能性があり、含んでいない可能性もある混合物、ガス、または物質を指す。試料には生物学的試料、例えば血液、痰、息、尿、精液、唾液、羊水、髄膜液（ｍｅｎｉｎｇｅａｌ
ｆｌｕｉｄ）、腺液（ｇｌａｎｄｕｌａｒ  ｆｌｕｉｄ）、乳頭吸引液、リンパ液、気管支吸引液、関節吸引液、滑液、細胞抽出物、脳脊髄液、便もしくは組織試料からのホモジナイズされた固体物質、細菌培養物、ウイルス培養物、またはそれらの実験的に分離された画分が含まれるが、それらに限定されない。
【０１２８】
[00193]  用語“非標的”は、アプタマーと非特異的複合体を形成する試料中の分子を
指す。第１アプタマーに関する非標的である分子が第２アプタマーに関する標的であり得ることは理解されるであろう。同様に、第１アプタマーに関する標的である分子は第２アプタマーに関する非標的であり得る。
【０１２９】
[00194]  一般的記述
[00195]  記述された方法および装置は、所望の試験環境中の、および微妙な（ｓｅｎ
ｓｉｔｉｖｅ）濃度の糖化タンパク質を検出することができる所望の高い感度および特異性の両方を有するシステムを提供する。
【０１３０】
[00196]  特定の観点において、その方法には総血清タンパク質レベルからの特定の糖
化タンパク質の割合を決定することが含まれる。そのようなタンパク質の限定的でない例には、ヒトヘモグロビン、アルブミン（例えばヒト血清アルブミン（ＨＳＡ））、およびＩｇＭタンパク質が含まれる。
【０１３１】
[00197]  体内にある一般的な糖化タンパク質は、ヘモグロビンＡ１ｃ（ＨｂＡ１ｃ）
および免疫グロブリンＭ（ＩｇＭ）（それはＢ細胞上に存在する基本的な抗体である）である。ＨｂＡ１ｃおよびＩｇＭは両方とも体内で異なる半減期を有する；例えば、ＨｂＡ１ｃに関して約６〜８週間およびＩｇＭに関して約１週間。従って、血清中のこれらの糖化タンパク質の定量化は、より短い期間およびより長い期間の両方にわたる血糖管理に関する遡及的判定を提供する。本方法は、１タイプの糖化血清タンパク質しか検出することができずに結果としてグルコース制御に関するあらゆるコンプライアンスの評価が１つの固定された期間に限られていた他の試験の主な欠点の１つを克服する。本方法はヘモグロ
ビン異常症、溶血、および／または貧血からの干渉のようなアッセイの結果を限定する他の欠点を克服することも特筆されるべきである。
【０１３２】
[00198]  本明細書で記述される方法／装置の他の特定の態様において、１種類以上の
他の分子またはその断片、例えば他の糖化タンパク質を正確に試験することができることは理解されるべきである。本方法は、ヘモグロビンまたは部位特異的ＨｂＡ１ｃ以外の糖化血液タンパク質の検出および測定を促進し、その方法は血糖管理の評価のための他の技術に関しても有用である。
【０１３３】
[00199]  特定の態様において、異なる糖化タンパク質は血中で異なる半減期を有する
ため、およそ数日から約６週間に至るまでの期間からの糖化タンパク質の標的化された歴史的な（ｈｉｓｔｏｒｉｃ）時間記録を、評価される特定の糖化タンパク質に応じて獲得することができる。対照的に、以前の試験は１つの固定された期間のみの評価に限定されている。
【０１３４】
[00200]  この方法およびそのような方法を用いるプラットフォームは高度に小型化さ
れており、リアルタイムの検出および分析を提供するための手持ち式の装置において有用である。
【０１３５】
[00201]  その方法は、必要な感度を有し、分析物の医学的検査において有用である。
[00202]  その方法はさらに、異なるタイプのタンパク質、例えば糖化ヘモグロビンお
よび血液タンパク質の他の糖化形態の評価を可能にする。
【０１３６】
[00203]  本明細書で記述される１つの方法において、血清中の特定の糖血症タンパク
質（ｇｌｙｃｅｍｉｃ  ｐｒｏｔｅｉｎｓ）のレベルを測定することにより糖血症のコンプライアンスを評価するための正確、迅速かつ比較的安価な方法を提供するために、表面プラズモン共鳴が高度に官能化されたアプタマー感知表面と共に用いられる。
【０１３７】
[00204]  アプタマーの決定
[00205]  本明細書で記述される方法は、異なるタイプのアプタマーを検出するために
有用である。１態様において、ヘモグロビン、アルブミン、およびＩｇＭの糖化／非糖化タンパク質に特異的なオリゴヌクレオチド（アプタマー）を単離および同定するために、指数関数的増幅によるリガンドの系統的進化（ＳＥＬＥＸ）濃縮プロトコルを用いることができる。
【０１３８】
[00206]  標準的なＳＥＬＥＸプロトコルは対象の所与のタンパク質に特異なリガンド
のスクリーニングを可能にするが、本明細書で記述されるのは、本明細書においてさらに説明されるように、両方のタンパク質のバージョン（すなわち糖化および非糖化形態）を検出および捕捉することができる二次アプタマーを同定する向上したＳＥＬＥＸ法である。
【０１３９】
[00207]  本明細書で記述される１態様において、その二次アプタマーの同定を用いて
、所与の時間フレームに関する平均グルコースレベルに相関し得るパーセント糖化を決定する。
【０１４０】
[00208]  検出プラットフォーム：タンパク質感知および表面プラズモン共鳴（ＳＰＲ
）分光法
[00209]  タンパク質の検出のため、自己組織化単分子膜（ＳＡＭ）を用いて特異的な
アプタマーを金ＳＰＲ感知表面に付着させる。ＳＰＲ分光法自体は、伝導体および誘電体の間の界面において起こる現象に関連している。この界面において、電子構造における電
荷密度の振動である表面プラズモンが存在することができる。これらの表面プラズモンは、可視〜近赤外スペクトルにおける光により最も一般的に励起される。この励起は、連続的な金属表面における自由に伝播する表面プラズモンとして、または金属に基づくナノ粒子構造の使用による局在性の作用としてのどちらかで起こり得る。本明細書で記述される１態様において、自由に伝播する表面プラズモンのアプローチが用いられる。
【０１４１】
[00210]  簡潔には、価電子が原子芯から分離され、外部電場の存在下で本質的に電子
ガスとして振る舞い；表面プラズモンは次の式に等しい対応する波ベクトルを有する結合した波であることを示すことができる：
【０１４２】
【化１】
0006502426.tif 000002
【０１４３】
[00211]  ここでλは光の波長であり、εｍｅｔａｌおよびεｓａｍｐｌｅはそれぞれ
媒体の相対的な誘電率定数である。従って、入射光がｋｓｐに近いエネルギーを有する横モード偏光成分を有する電場ベクトルを有する場合、表面プラズモンへのエネルギー移動が起こるであろう（すなわち、それは励起されるであろう）。
【０１４４】
[00212]  図７において示されるように、その入射光ベクトルは成分ｋｘを有し、それ
は次の式により表すことができる：
【０１４５】
【化２】
0006502426.tif 000003
【０１４６】
[00213]  ここでｎｉは入射媒体の屈折率であり、θｉは金属表面と接触する入射光の
入射角である。表面プラズモン共鳴は、εｍｅｔａｌおよびεｓａｍｐｌｅの入射光の波長λへの依存のため、その試料の屈折率における局所的な変動に高度に敏感である。屈折率における変化は、反射率に基づくアプローチを用いて測定することができる。図７において示されるような２つの誘電媒体の界面において反射された光はその表面において最大強度を有するエバネセント場を生成し、それは自由電子と共鳴する（すなわち表面プラズモン）。これは結果として光エネルギーの表面プラズモンへの移動をもたらし、それに対応して反射される光の度合いが低減する。この減少が起こる角度は一般に共鳴角と呼ばれる。
【０１４７】
[00214]  共鳴角を測定するために用いられるクレッチマン計測配置が図８ａにおいて
図説されている。この配置において、光はプリズムを通過し、それはガラス−金属界面において反射される。金属−光界面における相互作用の拡大バージョンが図７において示されている。図８ｂにおいて図説されているように、金属／試料界面での屈折率におけるあらゆる変化は結果として共鳴角における対応する変化またはシフトをもたらすであろう。
【０１４８】
[00215]  本方法は、しばしば特異性の欠如の問題により悪影響を受けるＳＰＲ単独で
の使用の欠点を克服する。加えて、ＳＰＲ単独での使用において、感知する分析物が屈折率における少なくとも中程度の変化を引き出さない場合、ＳＰＲは感度の欠如の問題によっても同様に悪影響を受ける。
【０１４９】
[00216]  本方法はこれらの不都合な問題を、本明細書で記述される選択的なアプタマ
ーを用いることにより、そして自己組織化単分子膜（ＳＡＭ）をＳＰＲと共に用いることにより克服する。本方法は、高い感度および選択性、費用対効果、化学的および熱的安定性、容易な合成および貯蔵のような利点を提供する。
【０１５０】
[00217]  本明細書で記述されるアプタマーに基づく感知法は、バイオセンサー適用に
おける感知要素として特に有用である。アプタマーの核酸性はまた、固定および再生をより容易にする。ＳＰＲ適用の１態様において、その受容体（すなわちアプタマー）を、標的分析物または分子を捕捉するために、様々なタイプの固体支持体上に固定する（図９参照）。
【０１５１】
[00218]  加えて、本明細書で記述される方法および装置は、ＳＡＭと関係してきたタ
ンパク質の非特異的な吸着による過去の問題を克服し、ここでそのような非特異的な吸着はセンサー活性に有害であった。特に、血液、尿または他の臨床試料のような複雑な試料マトリックスからの非特異的吸着は、感度を制限する主な要因であった。
【０１５２】
[00219]  他の制限要因は、吸着された表面自体の生物物理学的および化学的特性であ
った。そのようなＳＡＭでは、対象の分析物との特異的な親和性相互作用を確実にするために、これらの特性は抑制される必要があった。さらに、ＳＡＭ表面上に吸着されたタンパク質は、二次構造における立体構造変化および／またはその表面上の最適でない配向および分布のため、それらの生理活性を部分的に喪失する。また、表面の調製のためのプロトコルおよび物質輸送の条件がタンパク質吸着応答に著しく影響を与える。従って、異なる実験室から得られたデータの定量的比較が困難であり、しばしば不正確であった。
【０１５３】
[00220]
【実施例】
【０１５４】
[00221]  本発明は以下の実施例においてさらに定義され、別途記載しない限り、ここ
で全ての部および百分率は重量によるものであり、度はセ氏である。これらの実施例は、本発明の好ましい態様を示すものであるが、説明としてのみ与えられていることは理解されるべきである。上記の論考およびこれらの実施例から、当業者はこの発明の本質的な特徴を確かめることができ、その精神および範囲から逸脱せずに、本発明の様々な変更および修正を行ってそれを様々な使用および条件に適応させることができる。この明細書中で言及される特許および非特許文献が含まれる全ての刊行物は、参照により明確に援用される。以下の実施例は本発明の特定の好ましい態様を説明することを意図しており、そのように明記されない限り、特許請求の範囲において定義される通りの本発明の範囲を限定するように解釈されるべきではない。
【０１５５】
[00222]  実施例１
[00223]  材料
同定されたアプタマーは、１５ｂｐのアプタマー（ＡＰＴ１）：
【０１５６】
【化３】
0006502426.tif 000004
【０１５７】
および３４ｂｐのアプタマー（ＡＰＴ２）：
【０１５８】
【化４】
0006502426.tif 000005
【０１５９】
を含め、Ｉｎｔｅｇｒａｔｅｄ  ＤＮＡ  Ｔｅｃｈｎｏｌｏｇｉｅｓ（アイオワ州コーラルビル）により合成された。
[00224]  トシル基活性化（Ｔｏｓｙｌａｃｔｉｖａｔｅｄ）磁性ビーズ（ＭＢ）をＩ
ｎｖｉｔｒｏｇｅｎ（カリフォルニア州カールスバッド）から購入した。全ての他の化学物質をＳｉｇｍａ  Ａｌｄｒｉｃｈ（カリフォルニア州カールスバッド）から入手可能な最高純度で購入した。アプタマー溶液を１Ｍ  ｐＨ８リン酸緩衝液を用いて調製した。３−メルカプトプロピオン酸（ＭＰＡ）溶液をエタノール中で調製した。タンパク質試料溶液を５ｍＭ  ＫＣｌおよび１ｍＭ  ＭｇＣｌ２を含む０．１Ｍ  ｐＨ７．２  ＰＢＳ緩衝溶液を用いて調製した。用いたリン酸は１００ｍＭであった。全ての他の溶液を脱イオン（ＤＩ）水中で調製した。
【０１６０】
[00225]  計測手段
[00226]  ＳＰＲの測定は、商業グレードのＳｅｎｓｉＱ  Ｄｉｓｃｏｖｅｒｙシステ
ム（ＩＣｘ  Ｔｅｃｈｎｏｌｏｇｉｅｓ、バージニア州アーリントン）を２５℃で用いて実施された。このセンサーはクレッチマン配置に基づいており、ここでプリズムにより統合された発光ダイオード（ＬＥＤ）からの光はまず偏光し、次いで金表面から内部反射される。光反射の角度および相対強度をフォトダイオードアレイを用いて測定した。試料溶液を感知表面に適用した際、ＳＰＲプロフィールの最小値（ＳＰＲ角としても知られている）が装填された試料の屈折率の関数としてシフトし、リアルタイムの屈折率の読みを与えた（しかし、単独ではそのセンサーは所与の標的に一切特異的／選択的ではない）。そのＳＰＲ応答プロフィールはＳｅｎｓｉＱソフトウェアにより記録され、次いでＭＡＴＬＡＢ（登録商標）内で処理された。
【０１６１】
[00227]  電気化学インピーダンス分光（ＥＩＳ）測定を、Ｇａｍｒｙ  Ｒｅｆｅｒｅ
ｎｃｅ  ６００ポテンシオスタット（ペンシルバニア州ウォーミンスター）をＫＣｌを支持電解質として含む５ｍＭ  Ｆｅ（ＣＮ）６３−／Ｆｅ（ＣＮ）６４−溶液中で用いて実施した。全ての実験を室温で実施し、溶液を窒素ガスで１５分間パージし、実験の間窒素ブランケット（ｎｉｔｒｏｇｅｎ  ｂｌａｎｋｅｔ）を維持した。その実験は２５℃で実施された。インピーダンススペクトルを０．１Ｈｚから１００ｋＨｚまでの周波数範囲において５ｍＶ  ｒｍｓの電位振幅で１０倍あたり１０点で集めた。ＥＩＳの結果を、実験インピーダンスデータを電気的等価回路モデルに当てはめることにより分析した。その電気的等価回路のパラメーターは、Ｇａｍｒｙ  ＥＩＳ  ３００電気化学インピーダンス分光機に組み込まれた複合非線形最小二乗（ＣＮＬＳ）プログラムを用いてインピーダンス関数を測定されたボードおよびナイキストプロットに当てはめることにより得られた。
【０１６２】
[00228]  アプタマーの結合能力は以下のように決定された：１０ｎｍｏｌのアミン修
飾アプタマーを１０ｍｇの洗浄した磁性ビーズ（ＭＢ）に、振盪恒温器中で３７℃において１８時間でカップリングさせた。占有されていない結合部位をウシ血清アルブミン（ＢＳＡ）によりブロッキングした。そのアプタマーとカップリングしたＭＢを完全に洗浄し、次いで１０ｎｍｏｌのトロンビンをそのアプタマーとカップリングしたＭＢと振盪器中で室温において２時間混合した。対照群を、アプタマーの非存在を除いて正確に同じ方法により調製した。総タンパク質および未結合のタンパク質を、ＳｅｎｓｉＱにより提供されたカルボキシル官能化ＳＰＲセンサーを用いて測定した。
【０１６３】
[00229]  血液タンパク質を検出するためのアプタマーに基づくＳＰＲセンサーの使用
を実証するため、トロンビンおよび抗トロンビンアプタマーを選択した。金スライドを物理蒸着（ＰＶＤ）により調製し、予め汚れを除いた顕微鏡用カバースライド（ｃｏｖｅｒ
ｓｌｉｄｅｓ）の上に１ｎｍのチタンの層および５０ｎｍの金の層を形成した。次いでこれらを大量のＤＩ水およびエタノールにより洗浄した。それらを使用前に窒素ガス中で
乾燥させた。
【０１６４】
[00230]  金スライドを官能化するため、それらを１０ｍＭ  ＭＰＡ溶液中に３０分間
浸漬し、次いでエタノールおよびＤＩ水で洗浄した。そのスライドを乾燥させた後、次いでそれらをＮ−ヒドロキシスクシンイミド（ＮＨＳ）およびＮ−（３−ジメチルアミノプロピル）−Ｎ−エチルカルボジイミド塩酸塩（ＥＤＣ）（ＮＨＳ  ０．２Ｍ、ＥＤＣ  ０．０５Ｍ）の溶液中に３０分間浸漬した。次いでそのスライドをＤＩ水で洗浄し、次いで５μＭアプタマー溶液中に浸漬した。最後に、そのスライドをＰＢＳ緩衝液ですすいで非特異的に吸着されたタンパク質を洗い流した。それでそのスライドは測定の準備ができた。特定の態様において、この２工程表面官能化プロセスはＳＰＲにおいてだけでなくラマンおよび蛍光分光法においても適用可能である。その表面官能化プロセスは図１において模式的に図説されている。
【０１６５】
[00231]  コートされていない（すなわち金ではない）ＳｅｎｓｉＱベースの（ｂａｓ
ｅ）センサーを、開発した金に基づくＳＰＲ感知表面を用いてカスタム改変した。具体的には、新しく調製したアプタマーを固定した金支持体を、その剥がしたセンサーに屈折率整合光学用油を用いて取り付けた（ｃｏｕｐｌｅｄ）。これに続いて、次いで１００μＬの１Ｍエタノールアミン（ＥＡ）を２０μＬ／分の流速で装填してＥＤＣ／ＮＨＳにより活性化された占有されていないＭＰＡ部位をブロッキングし、続いて１００μＬの１００ｍＭリン酸（ＰＰＡ）を５０μＬ／分で注入して非特異的な結合を除去した。ランニング緩衝液は０．１Ｍ  ｐＨ７．２  ＰＢＳであった。そのセンサーをまずその緩衝液で１０分間標準化し（ｎｏｒｍａｌｉｚｅｄ）、次いで５ｎＭ、２５ｎＭ、５０ｎＭ、２５０ｎＭ、５００ｎＭ、１０００ｎＭ、２０００ｎＭの濃度のトロンビン試料（２５μＬ）を５μＬ／分で装填した。ＢＳＡを含む試料は全て４００ｎＭ  ＢＳＡを用いて調製した。全てのデータはその試料注入の２９０秒、３００秒、および３１０秒後に記録され、平均された。センサーの再生は、１００μＬ  ＰＰＡの５０μＬ／分での注入、続いてランニング緩衝液を用いた洗浄により実施された。
【０１６６】
[00232]  実施例１に関する結果
[00233]  ＥＩＳ測定
[00234]  それぞれの官能化された層の固定の成功を、ＥＩＳ測定により確証した。図
２は、異なる電極でのインピーダンススペクトルのナイキストプロットを示す。むき出しの金の電極は高い周波数において非常に小さいサイクルを表し、これは電解質溶液中で溶解したレドックスプローブへの非常に低い電子移動抵抗を示している（曲線Ａ）。ＭＰＡを電極上に固定し、ＥＡおよびＰＰＡで処理した際、電子移動抵抗（Ｒｅｔ）は１２５Ωに増大した（曲線Ｂ）。次いで、５μＭのＡＰＴ１アプタマーを添加し、ＳＡＭと結合させた際、Ｒｅｔは６００Ωに増大した（曲線Ｃ）。この態様において、その金電極上の反応部位をＥＡ（エタノールアミン）によりブロッキングしてその金表面上へのアプタマーの非特異的吸着を防ぎ、そうしてそのアプタマーがＳＡＭにのみ付着することを確実にした。そのＲｅｔの増大は、その固定されたアプタマーおよびそのレドックスプローブの間の静電反発により引き起こされ、これは界面の電子移動に関する障壁をもたらす。これらの結果は、そのＳＡＭ層のその金表面上への固定の成功およびそのアプタマーのそのＳＡＭへの安定な結合を示している。
【０１６７】
[00235]  磁性ビーズ（ＭＢ）に基づく最大結合能力
[00236]  アプタマーとカップリングしたＭＢを完全に洗浄した後、トロンビンを添加
し、濃度変化をカルボキシル修飾ＳＰＲセンサーを用いて測定した。屈折率は添加されたトロンビンの濃度変化によってのみ制御される。他の実験変数、例えばタンパク質変性および温度はＳＰＲの結果に小さな影響しか有さず、従ってその結果に影響を及ぼすとは考えられなかった。
【０１６８】
[00237]  図３において示されるように、トロンビンの濃度変化はそのアプタマーによ
り官能化されていない対照群に関しては無意味であった（３％未満）。これは、その２つの実験群における濃度変化が主にそのアプタマーおよびトロンビンの間の結合によるものであったことを示している。ＡＰＴ１およびＡＰＴ２群に関して、アプタマーで官能化されたＭＢおよびトロンビン溶液の混合物を１８時間反応させ、その反応はＭＢの製造業者の仕様書に基づいて完了しているとみなされた。従って、最終濃度はアプタマーのトロンビンに対する最大ｍｏｌ／ｍｏｌ結合能力を反映していた。
【０１６９】
[00238]  その結果は、ＡＰＴ１の結合比（５７．１％）がＡＰＴ２（５５．２％）よ
りも優れた能力を有することを示した。両方のアプタマーはトロンビンに対する５０％より大きいｍｏｌ／ｍｏｌ結合比を有し、これはそれらがトロンビン感知適用に関する優れた受容体候補であることを示している。特定の態様において、全てのアプタマーがＭＢに結合できるわけではなく、従って結合しているアプタマーの標的化合物（単数または複数）に対する実際の結合能力はわずかに大きい可能性があることは理解されるべきである。
【０１７０】
[00239]  対照群はアプタマー官能化なしのＭＢからなり、全ての結合部位はＢＳＡに
よりブロッキングされた。アプタマー含有群は、それぞれのアプタマーにより官能化され、占有されていない結合部位がＢＳＡによりブロッキングされたＡＰＴ１−およびＡＰＴ２−ＭＢであった。エラーバーは３つの試料から決定された値の標準偏差を表す。
【０１７１】
[00240]  ＳＰＲの結果
[00241]  ２種類の異なるアプタマーを金表面上に固定し、それぞれ１つずつの結合性
能を比較した。参照のため、異なるトロンビン濃度（５ｎＭ、２５ｎＭ、５０ｎＭ、２５０ｎＭ、１０００ｎＭ、２０００ｎＭ）の試料を個々に、むき出しのＡｕのセンサー、ＡＰＴ１センサーおよびＡＰＴ２センサーそれぞれの上に装填した。次いで第２の実験を同じトロンビン濃度を用いて実施した；しかし、４００ｎＭ  ＢＳＡの混乱させる構成要素がそれぞれのトロンビン試料に比較のために添加された。図４において“トロンビンのみ”の実験に関して示されているように、ＳＰＲシフトはむき出しのＡｕのセンサー表面に関して比較的高いトロンビン濃度に関してさえも非常に低かった。
【０１７２】
[00242]  対照的に、アプタマー修飾センサーに関して、ＳＰＲシフトは有意に高めら
れ、最適検出範囲は５ｎＭ〜１０００ｎＭ（線形範囲）であった。“トロンビン＋４００ｎＭ  ＢＳＡ”のデータ（図４において示されている）は、大きな４００ｎＭ  ＢＳＡの混乱させる濃度の構成要素がそれぞれのトロンビン試料濃度に追加されたデータを示している。トロンビンのみの群と比較した場合、その応答はほとんど同一であり、これはそのアプタマー修飾ＡＰＴ１およびＡＰＴ２センサーがトロンビンのみに高度に特異的であることを示している。
【０１７３】
[00243]  これはさらに図５において図説されており、それは４００ｎＭのＢＳＡを伴
う、および伴わない５００ｎＭのトロンビン濃度に関するＳＰＲシフトを示している。ＢＳＡの試料への添加はアプタマー修飾センサーに関するＳＰＲ応答に最小限の作用しか有さず、これはそのセンサーのトロンビンに対する優れた選択性を示している。これはむき出しのＡｕのセンサーとは対照的であり、それはＢＳＡを含む、および含まないトロンビン試料の間で著しい変化を経験した。ＡＰＴ１修飾センサーは全てのトロンビン濃度に関してＡＰＴ２センサーよりもわずかに高いシフトを有していた。ＡＰＴ１に関する当てはめ線の傾きも線形応答範囲においてＡＰＴ２よりもわずかに大きく（図６）、これもよりよい感度を示している。これらの２種類のアプタマーはトロンビンの異なる部位に結合し、従ってその標的への親和性は界面の結合環境においておよび溶液中での両方において異なっている。
【０１７４】
[00244]  抗体感知
[00245]  ＭＢ結合試験において、ＡＰＴ１はＡＰＴ２よりもわずかに高い結合能力を
有し、それはその官能化されたセンサーの感度の点でＳＰＲの結果と一致している。理論により束縛されることを望むわけではないが、この態様において、これはより小さいアプタマーはその標的タンパク質の結合部位に接近するより大きな可能性を有するためである可能性があると信じられている。また、特定の態様において、より複雑な二次構造を有するより大きいアプタマーは標的化合物との結合を形成するために余分な空間的柔軟性を必要とする可能性がある。
【０１７５】
[00246]  本明細書における実施例１が示すように、ＭＰＡ層は金上で優秀な被覆率を
有し、バイオセンシング目的のための抗体免疫処置のために有用である。これらの結果はまた、そのアミン修飾アプタマーがＭＰＡ層上に容易に固定され、そのセンサーの性能は抗体に基づくセンサーと比較可能であったことを示している。
【０１７６】
[00247]  ３個の感知スライドをそれぞれのアプタマーに関して、そして対照群に関し
ても調製した。そのセンサー対センサー（ｓｅｎｓｏｒ  ｔｏ  ｓｅｎｓｏｒ）性能は、新しく調製した試料を用いた場合一貫しており、それぞれの測定に関して比較的小さい誤差をもたらし、平均して総シグナルの２％標準偏差未満であった（図５において示されているエラーバー）。
【０１７７】
[00248]  ＢＳＡの添加はわずかに大きい誤差を導入し、流速を低下させる、および試
料の装填時間を増大させることによりその誤差を低減することができるが、考慮するのに十分であるほど重要ではないと思われた。その誤差の大部分は温度の変動により引き起こされていると考えられ；従って、一部の態様において、そのセンサーを温度制御された環境に置くことは正確性を増大させるのを助ける可能性がある。
【０１７８】
[00249]  本明細書で記述される感知表面は５ｎＭから１０００ｎＭまでの最適動作範
囲を有し、それはトロンビンアプタマーに基づく感知技法に関する最大の報告された動作範囲と比較可能であり、またはそれよりも大きい。ヒトの血液中のトロンビン濃度範囲は低ナノモル濃度〜低マイクロモル濃度の範囲内であることが報告されているため、本明細書で記述される方法はインビボでのトロンビンの定量的検出に十分に適している。
【０１７９】
[00250]  センサーの可逆性
[00251]  そのセンサーの可逆性を試験するため、固定された試料濃度をそのセンサー
に１０回繰り返し装填した。そのセンサーの再生はＰＰＡによりなされた。５０ｎＭ、２５０ｎＭおよび５００ｎＭのトロンビン濃度を用いた平均ＳＰＲ応答を標準偏差に関するエラーバーと共に図６において示す。全てのデータは新しく調製された感知スライドから得られた。ＳＰＲ応答は一般に同じ試料濃度に関してそれぞれの装填に関して約０．５％減少した。全ての感知スライドは、１０回目の装填後に元のＳＰＲシフト応答の９５％より多くを維持していた。また、２回目の試料の装填は通常その後の装填と比較した場合に最大の応答変化を有していた。実験の要求に応じて、より長いＰＰＡ注入時間によりそのセンサーの回復率を増大させることができる。ＢＳＡの出現はそのセンサーの感度を低下させた（例えば、図６において、ＢＳＡの出現はその応答曲線においてわずかに傾きを低減した）が、それはそのセンサーの可逆性には影響を及ぼさなかった。図６は、センサーが５０ｎＭ〜５００ｎＭの試料の範囲においてＢＳＡの出現ありおよびなしで線形応答を維持したことも示している。
【０１８０】
[00252]  実施例２
[00253]  センサーの他の態様
[00254]  別の態様において、そのセンサーには混合された長さのスペーサー層が含ま
れることができる。１つの限定的でない例において、その混合された長さの層はＭＰＡと組み合わせられた１１−メルカプトウンデカン酸（ＭＵＡ）であることができ、それは特定の態様において感度および特異性を増大させるために用いることができる。
【０１８１】
[00255]  他の態様において、混合された長さのスペーサーを含ませてその固定された
アプタマーの特定の形状の形成および維持を促進することができる。
[00256]  別の態様において、非特異的なタンパク質結合を低減するために、エチレン
オキシドのような親水性の基をそのアプタマーの５ｃ末端上に挿入することができる。
【０１８２】
[00257]  本明細書で記述される２工程固定法の特定の態様において、そのアプタマー
の間隔をあけることは、ＭＰＡ  ＳＡＭ密度を調節することにより、またはエタノールアミンおよびそのアプタマーを様々なモル比で同時保温することにより行うこともできる。
【０１８３】
[00258]  血液タンパク質の検出
[00259]  異なる血液タンパク質の検出に関して、目的の標的タンパク質に特異的に直
接結合するアプタマーを見つけるため、ＳＥＬＥＸ手順を用いることができる。次いで、ほとんどあらゆるタンパク質に関する標的特異的なセンサーを形成するため、その開発されたアプタマーを次いでアミン末端処理し、本明細書で記述される方法の１つを用いて金表面上に固定することができる。従って、アプタマーを抗体を超える利点を伴って特定の化合物を標的とするようにＳＥＬＥＸにより生成することができる。
【０１８４】
[00260]  本明細書で記述される２工程固定法は、ＳＡＭおよびアミン末端アプタマー
の金ＳＰＲ感知表面上への固定のために特に有用である。本明細書で記述されるＳＰＲセンサーは、少ない試料消費、標識の必要がないこと、高い感度、および速い応答時間のような利点を提供する。その２工程固定法の追加の利点には、実証可能な費用効率、優れた可逆性、均一な密度、および頑強かつ特異的な血液タンパク質検出プラットフォームとしての使用が含まれる。
【０１８５】
[00261]  実施例３
[00262]  ＳＰＲアプタマーに基づく糖化アルブミンタンパク質の感知
[00263]  糖化ヒト血清アルブミン（ＨＳＡ）の検出および定量化の両方を行った。開
発され、用いられたアプタマー（チオール化、非還元）は、
【０１８６】
【化５】
0006502426.tif 000006
【０１８７】
であった。
[00264]  金スライドを物理蒸着（ＰＶＤ）により調製し、予め汚れを除いた顕微鏡用
カバースライド上に１ｎｍのチタンの層および５０ｎｍの金の層を形成した。次いでその金スライドを大量のＤＩ水およびエタノールにより洗浄した。その金スライドを使用前に窒素ガス中で乾燥させた。
【０１８８】
[00265]  チオール化されたアプタマーを１Ｍリン酸緩衝液ｐＨ８により希釈し、振盪
機中でクリーランド試薬ＲＥＤＵＣＴＡＣＲＹＬ（商標）と２時間混合してアプタマー配列中の二重チオール結合を還元した。システインは金表面に直接結合して自己組織化単分子膜（ＳＡＭ）を形成することができる水溶性のチオール含有アミノ酸であり、次いでそ
れをアプタマー溶液に添加して、アプタマーの間隔をあけ、アプタマー間の隙間を埋め、非特異的表面吸光度（ａｂｓｏｒｂａｎｃｅ）を低減するのを助けた。この予備実験におけるアプタマーの終濃度は１μＭに設定され、アプタマー：システインのモル比は１：１０であった。その金スライドをアプタマー／システイン混合物溶液中に３７℃で浸漬させた。
【０１８９】
[00266]  その固定プロセスの後、その金スライドを０．０１Ｍ  ＰＢＳ緩衝液ｐＨ７
．４で洗浄した。次いでその官能化された表面を対応するＳＰＲセンサーに取り付け、１μｇ／ｍＬ総タンパク質ＨＳＡ試料（すなわち、総＝糖化＋非糖化）を所与の糖化パーセント（％）比（糖化／総タンパク質）：２、６、１０、１４、および１８％に関して調製した。
【０１９０】
[00267]  ＳＰＲ応答をそれぞれの試料に関して記録した。官能化された表面に関する
結果がむき出しのＡｕに関する結果と共に図１０において要約されている。アプタマーで官能化されたＳＰＲ表面は糖化タンパク質含有量における変化に直接応答する。総タンパク質濃度は試料間で１μｇ／ｍＬで一定であることは特筆すべきである。
【０１９１】
[00268]  官能化されていない表面（すなわちむき出しの金）は無視できるほどの応答
を示し、これは官能化された表面では感度が高いことをさらに説明している。長さは短いが（４０〜６０ｎｔ）、特定の態様において、アプタマー配列は標的を大きさおよび電荷に基づいて識別することができ、親和性が影響を及ぼされ得る。理論により束縛されることを望むわけではないが、本発明者らは、本明細書においてここで、そのアプタマーの３Ｄ構造も役割を果たしている可能性があると信じており；１つの限定的でない例には、シトシンに富むバルジループ構造およびＡＣＣ（Ｃ）または（Ｃ）ＣＣＡモチーフが含まれる。
【０１９２】
[00269]  ＨｂＡ１ｃ、アルブミン、およびＩｇＭに関する非糖化および糖化タンパク
質結合部位に関するアプタマー
[00270]  アプタマーを自己組織化単分子膜（ＳＡＭ）に付着するように開発した。特
定の態様に関して、タンパク質ヘモグロビン、アルブミン、およびＩｇＭは、それぞれの半減期が血糖管理における短期、中期、および長期の履歴にわたる情報を提供するため、有用である。一部の一般的な血液タンパク質に関する特性の要約を下記の表１において提供する。
【０１９３】
【表１】
0006502426.tif 000007
【０１９４】
[00271]  それぞれのタンパク質の糖化は、それぞれのタンパク質の１Ｍグルコースお
よびＤＴＰＡを含有するｐＨ７．４  ＰＢＳ中での２日間の保温により実施することができる。次いでその糖化タンパク質に透析プロセスを施し、次いでそれを親和性クロマトグラフィーによりさらに濃縮することができる。この工程において、その糖化タンパク質を
それぞれの非糖化形態から支持カラム中のポリアクリルアミドビーズ上に固定されたボロン酸を用いて分離することができる。このプロセスにより、非結合および結合画分の両方を収集し、さらに濾過法を用いて濃縮することができる。
【０１９５】
[00272]  タンパク質の糖化および非糖化バージョンの両方におけるヘモグロビン、ア
ルブミン、およびＩｇＭに特異的な重要なオリゴヌクレオチド（アプタマー）の単離および同定を達成するため、下記でさらに説明され、図１２において模式的に説明されているような、向上した指数関数的増幅によるリガンドの系統的進化（ＳＥＬＥＸ）濃縮法を用いることができる。
【０１９６】
[00273]  向上したＳＥＬＥＸ法は、対象のタンパク質に特異であるリガンドのスクリ
ーニングを可能にする。その向上したＳＥＬＥＸ法は、ランダム化されたＲＮＡ配列の大きなライブラリーを生成することにより実施することができる。このライブラリーは通常１０１４〜１０１５の異なるＲＮＡ種を含有し、それはそれらの個々の配列に応じて異なる構造へと折り畳まれる。次いでこのライブラリーを対象の標的タンパク質と共に保温し、次いでそのタンパク質に結合するライブラリー中に含有されるＲＮＡをそのタンパク質に結合しないＲＮＡから分離する。次いで保持されたＲＮＡをＲＴ−ＰＣＲにより増幅し、インビトロで転写してＲＮＡのプールを生成し、それは対象の標的に結合するＲＮＡに関して濃縮されている。この選択および増幅プロセスを、その標的タンパク質に対する最高の親和性を有するＲＮＡリガンドが単離されるまで８〜１２ラウンドの間繰り返すことができる。次いでこれらのアプタマーをクローニングし、配列決定する。
【０１９７】
[00274]  糖化タンパク質の総タンパク質に対する比率の決定
[00275]  糖化タンパク質の総タンパク質に対するパーセント比の測定は、所与の時間
窓にわたる平均血中グルコースに関連していた。
【０１９８】
[00276]  その標的タンパク質の糖化部位に特異的なアプタマーを生成することができ
る。また、そのそれぞれのタンパク質の糖化および非糖化バージョン両方に結合するであろうアプタマーを生成した。１態様において、ヘモグロビン、アルブミン、およびＩｇＭタンパク質の糖化バージョンをＳＥＬＥＸプロトコルにおける標的として用いた。結果として得られた低減したアプタマーのプールは、非糖化部位および糖化部位特異的アプタマーの両方を含有する。この時点で、および後のラウンド（単数または複数）において、次いで非糖化タンパク質（すなわち通常のタンパク質）を導入することができ、ここで糖化部位を認識する既存のアプタマーは結合せず、特性付けのために回収することができる。この方法は、そのタンパク質の糖化／非糖化バージョンの両方に結合することができる別々のアプタマーならびに糖化バージョンにのみ特異的であるアプタマーを提供する。
【０１９９】
[00277]  表面プラズモン共鳴自己組織化単分子膜アプタマーに基づく官能化された表
面の最適化
[00278]  次いで同定されたアプタマーを最初に結合特性、感度、特異性、および選択
性が含まれる一般的な性能に関して特性付けることができる。下記の表２において示されているのは、性能レベルに基づく標的の明細（ｓｐｅｃｉｆｉｃａｔｉｏｎｓ）の例である。
【０２００】
【表２】
0006502426.tif 000008
【０２０１】
[00279]  特に、結合親和性を特性付けるための１つの方法は、ＳＰＲ法の使用である
。同定されたアプタマー候補に基づいて、ＳＰＲはそれぞれの結合応答曲線を生成するために有用である。例えば、特定の装置（例えばＳｅｎｓｉＱ、ｉＣｘ  Ｎｏｍａｔｉｃｓ）は二重マイクロ流体チャンネルを備えており、制御可能な流速を有する。その試験は、図１に関して記述された固定法と類似の固定法を用いて実施することができる。
【０２０２】
[00280]  固定を促進するための修飾
[00281]  また、特定の態様において、その糖化および非糖化特異的アプタマー候補を
ＣＯＯＨで修飾された金ＳＰＲ表面上への固定を促進するための５’−ＮＨ２−Ｃ６アタッチメントを用いて修飾することができる。次いでＳＰＲ測定を用いてアプタマー候補に関するそれぞれの親和性定数を特性付ける。
【０２０３】
[00282]  親和性試験に加えて、ＳＰＲチップに固定されたアプタマーを用いて、特異
性および選択性の両方を評価することができる。そのような態様において、それぞれのアプタマーチップを糖化および非糖化形態の両方のそれぞれの標的タンパク質に曝露した。所与のタンパク質に関する、ならびに異なるタンパク質（例えばＨｂＡ１ｃアプタマーチップに関するアルブミン）に関するその２形態の間の交差反応性がそうして決定された。特定の好ましい態様において、その標的交差反応性は約６％未満であることが望ましい。この基準が満たされないことが決定された場合、交差反応性の性能をさらに向上させるために、そのＳＥＬＥＸプロトコルを向上した選択条件（例えば排除ラウンドの頻度を増大させる）を用いて繰り返すことができる。
【０２０４】
[00283]  優れた標的認識は固定のために用いられるアプタマー連結プロセスによって
も影響を受け得ることも理解されている。特定の態様において、その方法にはそのアプタマーの１つ以上の代わりの連結法の使用が含まれることができる。特定の態様において、その連結は３’−アミノ、チオール、または他の可能性のある連結によることができる。
【０２０５】
[00284]  そのような連結を例えば特定のパラメーター、例えば密度および長さを調節
することにより修正することができることも、意図される範囲内である。従って、最大限の所望の性能を提供するためにアプタマーおよび連結法を最適化することができる。加えて、官能化された表面を作り出すための本明細書で記述される方法を最適化して、その表面における所望のレベルの均一性を提供する、ならびにそのアプタマーセンサー応答を最適化することができる。
【０２０６】
[00285]  自己組織化単分子膜（ＳＡＭ）連結
[00286]  上記で記述された連結法に加えて、用いることができる別の方法には、二成
分自己組織化単分子膜（ＳＡＭ）および還元脱着プロセスによる連結が含まれる。ＳＡＭの充填密度およびＳＡＭの長さはＳＰＲシグナルに影響を及ぼすため、その二成分ＳＡＭ
の密度および長さを還元脱着プロセスを用いて調節することができる。
【０２０７】
[00287]  特定の態様において、混合型ＳＡＭを適合させる（ｔａｉｌｏｒｉｎｇ）た
めに、合成されたジチオビス−Ｎ−スクシンイミジルプロピオネート（ＤＴＳＰ）を（１−メルカプト−１１−ウンデシル）トリ（エチレングリコール）（ＰＥＧ３）と共に用いることができる。タンパク質吸着に耐性であるＰＥＧ３を用いてタンパク質の非特異的吸着を防ぐことができる。加えて、ＤＴＳＰ中のカルボキシル基はそのアプタマーと安定な結合を形成するであろう。
【０２０８】
[00288]  特定の態様において、ジチオビス−Ｎ−スクシンイミジルプロピオネート（
ＤＴＳＰ）を用いるチオールＳＡＭ固定法をリン酸緩衝溶液中で用いた。ＤＴＳＰは、少なくとも部分的にはその独特の表面特性、例えば親水性、水和性、化学反応性、およびヘモグロビンおよびシトクロムｃのようなタンパク質に対する親和性のため、ＳＡＭに関して有用である。
【０２０９】
[00289]  二成分ＳＡＭ固定に関して、３−メルカプトプロピオン酸（ＭＰＡ）および
（１−メルカプト−１１−ウンデシル）トリ（エチレングリコール）（ＰＥＧ３）を用いることができる。特定の態様において、ＭＰＡが選択され、これはそれがＰＥＧ３よりも低い酸化還元電位を有するためであり、それはＭＰＡを還元脱着により容易に排除してＰＥＧ３を未変化のままにすることができることを意味する。ＤＴＳＰはアプタマーのアミノ基と共有結合を形成することができ、一方でＰＥＧ３はできず、従ってアプタマーはＤＴＳＰのみに付着するであろう。
【０２１０】
[00290]  ２構成要素チオール溶液はＭＰＡおよびＰＥＧ３の１ｍＭエタノール溶液を
様々な比率で混合し、一方で二成分ＳＡＭの総濃度を１ｍＭで維持することにより調製することができる。次いでＭＰＡおよびＰＥＧ３（その比率は２０：８０、５０：５０および８０：２０である）の二成分ＳＡＭを金電極上で、その電極をその混合されたチオール溶液中に１時間浸すことにより形成することができる。
【０２１１】
[00291]  ここで、二成分ＳＡＭの形成および還元脱着手順が示されている図１１ａ〜
１１ｅにおける模式図を参照する。最初に、３−メルカプトプロピオン酸（ＭＰＡ）およびＰＥＧ３の二成分をエタノール溶液中で金表面上に吸着させる（図１１ａ）。ＭＰＡの金電極からの還元脱着を０．５Ｍ  ＫＯＨ溶液中で実施する。相分離したＭＰＡおよびＰＥＧ３の二成分ＳＡＭ中の吸着されたＭＰＡを、−１．２Ｖの電位を３０分間かけることにより選択的に還元する（図１１ｂ）。
【０２１２】
[00292]  ＭＰＡの還元脱着後、ＰＥＧ３層を有する試料を１ｍＭ  ＤＴＳＰ溶液中に
浸漬してＤＴＳＰ層を形成する（図１１ｃ）。図１１ｄはアプタマーの固定を示し、図１１ｅはアプタマーのＰＥＧ３からの除去を示す。
【０２１３】
[00293]  アプタマーは、−ＣＯＯＨ末端基を露出しているＤＴＳＰのＳＡＭに共有結
合的にカップリングされる。共有結合の形成のため、ＰＢＳ中のアプタマー（５０μｇ／ｍｌ）を新しく調製したＮＨＳおよびＥＤＣと一緒に注入する。Ｎ末端においてアミノ基を有するアプタマーを、ＣＯ−ＮＨアミド結合形成によりＤＴＳＰ  ＳＡＭ上に固定することができる。ＤＴＳＰおよびＰＥＧ３の比率を変動させてＳＡＭの充填を調節し、結果として、次いで最適なＳＰＲシグナルを与えるタンパク質の結合を得ることができる。
【０２１４】
[00294]  表面被覆の測定
[00295]  サイクリックボルタンメトリー（ＣＶ）および電気化学インピーダンス分光
法（ＥＩＳ）を用いて固定されたＳＡＭの表面被覆およびその試料の酸化還元応答を測定
することができる。その表面組成物を吸着されたチオールに関するサイクリックボルタモグラムのピーク面積から概算することができる。修飾された電極上に沈着した二成分ＳＡＭの応答を、未修飾の電極の応答と比較することができる。
【０２１５】
[00296]  還元脱着のサイクリックボルタモグラムは、０．５ｍｏｌ  ｄｍ−３リン酸
緩衝溶液中で、Ａｇ−ＡｇＣｌ飽和ＫＣｌ電極を参照電極として、白金線を対電極として用いて記録することができる。ＳＡＭ＋アプタマーでコートされた金電極（Ａｕ＋ＳＡＭ＋アプタマー）ならびに金電極上の還元脱離したＳＡＭおよびアプタマー（Ａｕ＋ＲＤ  ＳＡＭ＋アプタマー）のＣＶ曲線をそうして比較することができる。ＣＶ曲線は還元脱離に関して１００ｍＶ／ｓの走査速度で記録することができる。それぞれのボルタモグラムにおいて、ＳＡＭの還元脱着のダウンピーク（ｄｏｗｎ  ｐｅａｋ）はおよそ５０ｍＶに見られると予想される。
【０２１６】
[00297]  最適なＳＰＲ応答を得るために、ＳＡＭの長さおよび密度両方を調節するこ
とができる。リンカーの長さが長い場合、より多くのアプタマーを固定することができるが、アプタマーがその表面からさらに離れるため、ＳＰＲのディップはより広くなり得る。同様に、リンカーの密度が高い場合、より多くのアプタマーをＳＡＭに付着させることができるが、ＳＰＲのディップはより狭くなり、検出がより困難になり得る。これらのアプタマーで修飾された表面は、５’−ＮＨ２−Ｃ６／−ＣＯＯＨ法と共に用いられる方法により特性付けることができる。
【０２１７】
[00298]  開発された官能化されたＳＰＲ感知表面の較正および検証
[00299]  ＨｂＡ１ｃ、アルブミン、およびＩｇＭの糖化／非糖化タンパク質の検出の
ためのＳＰＲ感知プラットフォームは、最初に既知の標的タンパク質比率を有する生理食塩水緩衝液を用いる試験において較正することができる。それぞれの試料溶液を、固定されたレベルの総タンパク質に関して、血液中で見られる比率レベルと比較して妥当な比率レベルで調製することができる（表１参照）。
【０２１８】
[00300]  それぞれの試料に関して、タンパク質の総量に対する糖化タンパク質の比率
は所望の範囲にわたって変動させることができる（例えば、ＨｂＡ１ｃに関して６〜１５％の％レベルはそれぞれ６０〜３６０ｍｇ／ｄＬの平均血糖レベルに相当する）。そのような態様において、１から２５％ｖ／ｖまでの範囲が適切であろう。次いでそれぞれの試料におけるＳＰＲ応答を評価することができ、％糖化に関して較正モデルを決定することができ、較正の標準誤差を計算することができる。開発されたＳＰＲアッセイの正確さをさらに評価するため、無関係な試料（すなわち、較正において用いられていない試料）を用いてそれぞれの較正モデル（単数または複数）に基づいてアッセイ性能を評価することができる。相対および絶対誤差の両方を決定することができ、有用な診断の目的に必要であろう範囲と比較することができる。
【０２１９】
[00301]  血清の試験
[00302]  実際の血清における性能を評価するため、糖尿病でない源からの血清を利用
することができる。その血清試料を分析して、標準的な臨床試験により（両方のタンパク質標的に関する）糖化対総タンパク質のそれぞれの割合を決定することができる。
【０２２０】
[00303]  これらの値を参照値として用いて、個々の試料に特定の量のそれぞれの糖化
タンパク質（登録商標）をドープする（ｄｏｐｅｄ）ことができる。生理食塩水試験で利用された試験評価と類似の試験評価を繰り返すことができる。血清中の特定の標的タンパク質（例えば表１において示されるようなヘモグロビン）の高い濃度のため、その試験を運転する前に試料を希釈することが望ましい可能性があることは理解されている。加えて、血清の複雑な化学組成のために問題が生じ得るため、他の可能性のある混乱させる作用
、例えば糖化タンパク質の変動以外での試料組成における変動の導入を試験することができる。
【０２２１】
[00304]  実施例４
[00305]  糖化および／または非糖化タンパク質部位に対して標的化されたアプタマー
の同定のための向上したＳＥＬＥＸ法
[00306]  糖化タンパク質部位への親和性を有するアプタマーの同定を可能にするため
、ＳＥＬＥＸプロトコルを向上させた。この向上したＳＥＬＥＸプロトコルは、糖化タンパク質の総タンパク質に対するパーセント比の決定を可能にした。
【０２２２】
[00307]  標的タンパク質（単数または複数）の糖化部位に特異的なアプタマーを、そ
れぞれのタンパク質の糖化および非糖化バージョンの両方に結合するであろうアプタマーに加えて生成した。それぞれのタンパク質（例えばヘモグロビン、アルブミン、ＩｇＭ等）に関してそのようなアプタマーを生成するため、増幅の第１ラウンドにおいて、それぞれのタンパク質の糖化バージョンにＳＥＬＥＸプロトコルを適用した。そのＳＥＬＥＸプロトコルのこの第１ラウンドは結果として、“非糖化部位特異的”アプタマーおよび“糖化部位特異的”アプタマーの両方を含有する低減したアプタマーのプールをもたらした。
【０２２３】
[00308]  非糖化タンパク質（すなわち通常のタンパク質）を、第１ラウンドのＳＥＬ
ＥＸ増幅プロセスで得られたプール中に導入する。少なくとも１回の第２ラウンドの増幅において、そのような非糖化タンパク質に結合するプール中のアプタマーはこの特定のＳＥＬＥＸラウンドにおいて溶離されず、従ってそのプールから除去される。この向上したＳＥＬＥＸプロトコルは、糖化部位に特異的なアプタマーが進行中のプール中に留まるであろう機会を向上させる。次いでそのような残っているアプタマーを、標準的なＳＥＬＥＸプロセスの一部としてのそれに続くＳＥＬＥＸラウンドにおいて特性付けのために回収することができる。他の態様において、“糖化”タンパク質および“非糖化”タンパク質の使用を逆にすることができることは理解されるべきであり；例えばここで“糖化”タンパク質が第１ラウンドのＳＥＬＥＸ増幅プロセスで得られたプール上に導入される。
【０２２４】
[00309]  高親和性糖化および／または非糖化タンパク質アプタマーの決定
[00310]  タンパク質分子（例えばアルブミン）は糖化に関して利用可能な多数の部位
を有する。糖化レベルは通常総タンパク質レベルに関する糖化されている所与のタンパク質の濃度の百分率を指し、一方で糖化率は単一のタンパク質分子内のどれだけ多くの部位がグルコースまたはグルコース誘導体に結合しているかを指す。３Ｄ立体構造および電荷分布は高度に糖化されたタンパク質分子および非糖化タンパク質分子の間で著しく異なっているが、軽度に糖化されたタンパク質分子（すなわち単一の糖化点）および非糖化タンパク質分子の間では非常に類似している。従って、非糖化形態に対して低い親和性を有する高親和性単一部位特異的糖化タンパク質結合アプタマーを開発することは非常に挑戦的である。
【０２２５】
[00311]  向上したＳＥＬＥＸインビトロ選択プロトコルの１つの例が図１２において
示されており、ここで大きなランダムＤＮＡのプールを最初に磁性ビーズ（ＭＢ）上に固定された糖化タンパク質標的と混合する；すなわち一次または“糖化タンパク質標的ＭＢ”複合体。
【０２２６】
[00312]  その糖化タンパク質標的に対して高い親和性を有するアプタマーは結合して
“アプタマー−糖化タンパク質標的ＭＢ複合体”を形成するであろう。
[00313]  その“アプタマー−糖化タンパク質標的ＭＢ”複合体を最初のＤＮＡプール
から分離する。
【０２２７】
[00314]  それに続く工程において、その結合したアプタマーをその“糖化タンパク質
標的ＭＢ”複合体（すなわち、そのタンパク質の単一または軽度に糖化された形態）から溶離する。
【０２２８】
[00315]  この時点において、ＭＢの第２セットにカップリングさせた対照タンパク質
（すなわちそのタンパク質の非糖化形態）（第２または“非糖化タンパク質標的ＭＢ”複合体）をこの第１溶離液に添加する。
【０２２９】
[00316]  その“非糖化タンパク質標的ＭＢ”複合体を用いて、その非糖化タンパク質
形態に対する親和性も有する第１溶離液中の“選択的な”アプタマーを除去する。
[00317]  それに続く工程において、その“選択的な”アプタマーをその“非糖化タン
パク質標的ＭＢ”複合体から溶離する。
【０２３０】
[00318]  その“非糖化タンパク質標的ＭＢ”複合体を除去したら、残っている“選択
的な”アプタマーは単一のまたは標的化された糖化部位に対して高い親和性を有するアプタマーである。
【０２３１】
[00319]  この時点で、標準的なＳＥＬＥＸ法を用いて、所望の糖化タンパク質部位に
対して非常に高い親和性を有するこれらの残っている“選択的な”アプタマーを増幅することができる。
【０２３２】
[00320]  具体的には、この向上したＳＥＬＥＸ法は、そのタンパク質の非糖化形態に
対して低い親和性を有する高親和性単一糖化部位アプタマーの開発を可能にする。この向上したＳＥＬＥＸ法は、分析物／非常に類似した化学構造を有する分子を識別する能力を有するアプタマーを生成するためにも有用である。
【０２３３】
[00321]  糖化および非糖化アプタマーの例
[00322]  有用なアプタマーの例が下記に示されており、ここでＸＸＸおよびＹＹＹは
追加の結合基、例えばビオチン、チオール、アミン等のいずれか１つ以上を指し、それは所与の自己組織化単分子膜（ＳＡＭ）の開発を促進するために用いることができる。
【０２３４】
[00323]  糖化ヘモグロビンアプタマー
【０２３５】
【化６】
0006502426.tif 000009
【０２３６】
；および
【０２３７】
【化７】
0006502426.tif 000010
【０２３８】
。
[00324]  非糖化ヘモグロビンアプタマー
【０２３９】
【化８】
0006502426.tif 000011
【０２４０】
；および
【０２４１】
【化９】
0006502426.tif 000012
【０２４２】
。
[00325]  糖化：ヒト血清アルブミン（ＨＳＡ）アプタマー
【０２４３】
【化１０】
0006502426.tif 000013
【０２４４】
；および
【０２４５】
【化１１】
0006502426.tif 000014
【０２４６】
。
[00326]  非糖化：ヒト血清アルブミン（ＨＳＡ）アプタマー
【０２４７】
【化１２】
0006502426.tif 000015
【０２４８】
；および
【０２４９】
【化１３】
0006502426.tif 000016
【０２５０】
。
[00327]  実施例５
[00328]  標的特性に基づいて感度および選択性を最適化するためのＳＡＭを用いる表
面官能化法
[00329]  アプタマーの可動化のための二成分ＳＡＭ形成の感度および選択性はさらに
高めることができる。例えば、連結の間隔ならびにアプタマーおよびＳＰＲ表面の間の距離を調節するため、２つの異なるタイプの自己組織化チオール分子をその表面上に沈着させる。１１−メルカプトウンデカン酸（ＳＨ−（ＣＨ２）５−ＣＯＯＨ、ＭＵＡ）およびメルカプトプロパノール（ＳＨ−（ＣＨ２）２−ＯＨ、ＭＰＬ）の１ｍＭエタノール溶液を別々に調製する。それぞれの溶液を、その２つの構成要素の総濃度を１ｍＭで維持しながら１：１の体積比で混合する。ＭＵＡおよびＭＰＬの二成分ＳＡＭが金表面上に、その金表面をその混合されたチオール溶液中に１時間浸すことにより形成される。次いで、その金表面を続いてエタノールおよびＤＩ水を用いてすすぐ。
【０２５１】
[00330]  ＭＰＬの密度は、その金表面に０．５Ｍ  ＫＯＨ溶液（ｐＨ１３）中で電位
をかけることにより、最適なシグナル伝達のために調節することができる。−０．５〜−１．０Ｖで３０分間かけられた電位はＭＰＬの一部を脱離させ、結果としてより低密度のＭＰＬ層をもたらし、それはシグナル伝達を増進する。次いで、その表面をすぐにＤＩ水により洗浄する。
【０２５２】
[00331]  その表面を乾燥させた後、次いでそれをＮ−ヒドロキシスクシンイミド（Ｎ
ＨＳ）およびＮ−（３−ジメチルアミノプロピル）−Ｎ−エチルカルボジイミド塩酸塩（ＥＤＣ）の溶液（ＮＨＳ  ０．２Ｍ、ＥＤＣ  ０．０５Ｍ）で３０分間処理してＭＵＡのカルボキシル基を活性化させる。次いでその表面をＤＩ水で洗浄し、次いで５μＭアプタマー溶液中に浸漬する。アプタマーはその活性化されたＭＵＡに共有結合する。最後に、その表面をＰＢＳ緩衝液ですすぐ。
【０２５３】
[00332]  この表面官能化法はＳＰＲに適用可能であるだけでなく、他の感知様式、例
えばラマンおよび蛍光分光法の感度および選択性を最適化するためにも適用可能である。その方法は、既存のモニタリング技術の性能を向上させるために用いることができる。
【０２５４】
[00333]  実施例６
[00334]  試料中に存在する混乱させる物質の作用を低減するための方法
[00335]  その官能化プロセスの一部として、ＭＰＬ層は本質的に親水性である。この
特性は、タンパク質のその表面への非特異的吸着を防ぐことができる。別の態様において、そのアプタマー認識要素は、伸長された連結のアプローチにより、（なお所望の感度を維持しながら）通常のＳＰＲ感知範囲を超えて伸ばすことができる。この態様において、チオール類に関するような終結（ｔｅｒｍｉｎａｔｉｏｎｓ）により多数の連結を得ることができる。その終結の間で、その表面を金ナノ粒子溶液に曝露することにより金ナノ粒子界面を作ることができる。このナノ粒子カップリングは、そのアプタマー結合応答をＳＰＲセンサーにより通常のＳＰＲ検出限界を超えた分離距離において検出することを可能にすることができる。
【０２５５】
[00336]  非アプタマー部位におけるように、金属粒子カップリングを欠いた、密に充
填されたＳＰＲ範囲外の長さの連結を作ることができることは特筆すべきである。従って、これらの部位において非特異的タンパク質吸着または他の混乱させる構成要素に直面した場合、対応するＳＰＲ応答は生じず、それによりそのセンサーに関する選択性の性能を向上させるであろう。
【０２５６】
[00337]  別の態様において、二次物理蒸着（ＰＶＤ）をそれに続くＭＰＡ層の上に形
成し、続いて熱処理して類似の構造を得てそのアプタマーを伸ばしてＳＰＲ基礎表面から離し、一方でその金属カップリング連結により感度を維持することができる。
【０２５７】
[00338]  実施例７
[00339]  バイオマーカーの検出
[00340]  本明細書で記述される方法およびプラットフォームは、疾患の診断および評
価のためのバイオマーカーの検出の分野においても有用である。
【０２５８】
[00341]  例えば、本明細書で記述されるタンパク質（例えば糖化タンパク質）に関し
て、正確な検出は糖尿病の処置を促進し、数多くの関係する健康管理条件、例えば心血管疾患、失明、腎不全、および多くの他のものの増大する危険性を最小限にするのを助けることができる。
【０２５９】
[00342]  本明細書における方法およびプラットフォームは、手持ち式の装置中に容易
に組み込むために小型化し、そうしてその方法および／またはプラットフォームが医師の診療室において、家庭において、または野外で直接用いられることを可能にすることができる。
【０２６０】
[00343]  従って、（糖血症のコンプライアンスの尺度である）糖化タンパク質の測定
は、タイミングの悪いオフサイト分析（ｏｆｆｓｉｔｅ  ａｎａｌｙｓｉｓ）による医師の検査の間にのみ利用可能であるのではなく、患者または健康管理提供者により容易に評価できる方法で容易に利用可能である。これらのより広く利用可能な測定は、今度は、自己監視血中グルコース測定の情報に対する補足的な情報を提供して、糖尿病患者が彼らの状態をよりよく管理し、可能性のある長期の健康問題を緩和するのをさらに助けるであろう。
【０２６１】
[00344]  さらに、そのような情報が拡張された歴史的時間窓でより高頻度な方式で入
手可能である場合、これは糖尿病コミュニティの内外でグルコース調節の理解に著しく影響を与える可能性があり、それは糖尿病に対する新規のおよび／または最適化された療法アプローチの開発、教育、および訓練により血糖管理のよりよい理解につながる可能性がある。
【０２６２】
[00345]  実施例８
[00346]  キット
[00347]  本明細書で記述されるセンサーは、部品のキットの形態で提供することがで
きる。そのようなキットには、診断キット、バイオマーカー発見キット、環境試験キット、生物災害または生物兵器検出キット、および医学または分析化学の適用において標的を検出するためのキットが含まれるが、それらに限定されない。限定的でない例として、そのアミン末端アプタマーは単独の分子として含まれることができ、または既に支持体に付着していることができる。追加の構成要素が含まれることもでき、それはマイクロ流体チップ、参照標準、および当業者が本開示を読めば同定可能である追加の構成要素を含むことができる。また、そのキットの構成要素は、本明細書で開示される方法を実施するため、適切な説明書および他の必要な試薬と共に提供することができる。一部の態様において、そのキットは別々の容器中にその組成物を含有することができる。そのアッセイを実施するための紙または電子支持体、例えばテープまたはＣＤ−ＲＯＭ上の説明書、例えば書面の説明書または音声の説明書もそのキット中に含まれることができる。そのキットは、用いられる個々の方法に応じて、他の包装された試薬および物質（例えば洗浄緩衝液等）も含有することができる。
【０２６３】
[00348]  本発明は様々な好ましい態様に関連して記述されてきたが、当業者は、本発
明の本質的な範囲から逸脱することなく様々な変更を行ってよく、その要素の代わりに均等物を用いてよいことを理解するべきである。加えて、特定の状況または材料を本発明の教示に適合させるために、その本質的な範囲から逸脱することなく多くの修正を行うことができる。
【０２６４】
[00349]  従って、本発明は本明細書で開示されたこの発明を実施するために熟慮され
た特定の態様に限定されるのではなく、本発明には特許請求の範囲内に入る全ての態様が含まれるであろうことが意図されている。
【０２６５】
[00350]  本明細書で列挙された文書のいずれの引用も、前記のいずれかが関連する先
行技術であるという自認として意図されているわけではない。その日付に関する全ての記載またはこれらの文書の内容に関する表現は出願者に入手可能な情報に基づいており、これらの文書の日付または内容の正確さに関する自認を構成することは一切ない。
【図１】
0006502426.tif 000017
【図２】
0006502426.tif 000018
【図３】
0006502426.tif 000019
【図４】
0006502426.tif 000020
【図５】
0006502426.tif 000021
【図６】
0006502426.tif 000022
【図７】
0006502426.tif 000023
【図８ａ】
0006502426.tif 000024
【図８ｂ】
0006502426.tif 000025
【図９】
0006502426.tif 000026
【図１０】
0006502426.tif 000027
【図１１】
0006502426.tif 000028
【図１２】
0006502426.tif 000029
【配列表】
0006502426000001.app